(57)【要約】本発明は、長手方向を規定する長手方向軸（Ａ）を備えた略円筒形状を有する歯科インプラント（１，１’）に関する。歯科インプラント（１，１’）は、歯科インプラント（１，１’）の歯冠端部を含む歯冠セクショ（１１）と、歯冠セクション（１１）から歯科インプラント（１）の根尖先端（１５）まで根尖側に延びるねじ領域（１４）と、２次部品との接続のための内部ブラインド穴であって、歯科インプラント（１，１’）の歯冠端部から根尖側に延びる安定化セクション（１６）、および安定化セクション（１６）の根尖端部から根尖側に延びる駆動割出しセクション（１７）を含む、内部ブラインド穴とを含み、駆動割出しセクション（１７）には、凹形状を有し、長手方向に延びる複数の接続ローブ（１７１）が設けられ、接続ローブ（１７１）は、長手方向に延びる個々のローブ連結領域（１７２）によって相互接続され、ローブ連結領域（１７２）の各々は、長手方向に延びる、個々の接続ローブ（１７１）に近接する２つの凸部（１７４）と、２つの凸部（１７４）の間で長手方向に延びる凹部（１７５）とを含む。
2020518380.tif 000002
【特許請求の範囲】
【請求項１】
長手方向を規定する長手方向軸（Ａ）を備えた略円筒形状を有する歯科インプラント（１，１’）であって、
歯科インプラント（１，１’）の歯冠端部を含む歯冠セクション（１１）と、
歯冠セクション（１１）から歯科インプラント（１）の根尖先端（１５）まで根尖側に延びるねじ領域（１４）と、
２次部品との接続のための内部ブラインド穴であって、歯科インプラント（１，１’）の歯冠端部から根尖側に延びる安定化セクション（１６）、および安定化セクション（１６）の根尖端部から根尖側に延びる駆動割出しセクション（１７）を含む、内部ブラインド穴とを含み、
駆動割出しセクション（１７）には、凹形状を有し、長手方向に延びる複数の接続ローブ（１７１）が設けられ、
接続ローブ（１７１）は、長手方向に延びる個々のローブ連結領域（１７２）によって相互接続され、
ローブ連結領域（１７２）の各々は、長手方向に延びる、個々の接続ローブ（１７１）に近接する２つの凸部（１７４）と、２つの凸部（１７４）の間で長手方向に延びる凹部（１７５）とを含む、歯科インプラント（１，１’）。
【請求項２】
内部ブラインド穴はさらに、駆動割出しセクション（１７）の根尖端部から根尖側に延びる根尖雌ねじセクション（１８）を含む、請求項１に記載の歯科インプラント（１，１’）。
【請求項３】
接続ローブ（１７１）およびローブ連結領域（１７２）の両方は、駆動割出しセクション（１７）の軸方向延長部全体に実質的に沿って延びている、請求項１または２に記載の歯科インプラント（１，１’）。
【請求項４】
各ローブ連結領域（１７２）は、段差状の構成を有する根尖部分（１７３）を含む、請求項１〜３のいずれかに記載の歯科インプラント（１，１’）。
【請求項５】
根尖部分（１７３）は、歯科インプラント（１，１’）の軸（Ａ）と一致する軸を有する側円筒面の一部である側面（１７３１）を有し、
側面（１７３１）には、歯科インプラント（１，１’）の軸（Ａ）に向かって半径方向に延びるレッジ（１７３２）が設けられる、請求項４に記載の歯科インプラント（１，１’）。
【請求項６】
根尖部分（１７３）は、歯冠側に広がる、歯科インプラント（１，１’）の軸（Ａ）と一致する軸を有する円錐台表面の一部である側面（１７３１）を有し、
側面（１７３１）には、歯科インプラント（１，１’）の軸に向かって半径方向に延びるレッジ（１７３２）が設けられる、請求項４に記載の歯科インプラント（１，１’）。
【請求項７】
レッジ（１７３２）は、歯科インプラント（１，１’）の軸（Ａ）に略垂直な半径方向に延びている、請求項５または６に記載の歯科インプラント（１，１’）。
【請求項８】
レッジ（１７３２）は、歯科インプラント（１，１’）の軸（Ａ）に対して根尖側に傾斜した半径方向に延びている、請求項５または６に記載の歯科インプラント（１，１’）。
【請求項９】
接続ローブ（１７１）は、歯科インプラント（１，１’）の軸（Ａ）に対して平行な側面領域を備えた個々の円筒の一部であり、好ましくは、円筒部分は半円筒である、請求項１〜８のいずれかに記載の歯科インプラント（１，１’）。
【請求項１０】
ローブ連結領域（１７２）の凸部および凹部（１７４、１７５）は、歯科インプラント（１，１’）の軸（Ａ）に対して平行な側面領域を備えた個々の円筒の一部である、請求項１〜９のいずれかに記載の歯科インプラント（１，１’）。
【請求項１１】
略円形状プラットフォーム（１７７）が、安定化セクション（１６）の根尖端部に近接する駆動割出しセクション（１７）の歯冠端部に設けられ、好ましくは、略円形状プラットフォーム（１７７）は、ローブ連結領域（１７２）の半径方向に突出した歯冠部分によって形成される、請求項１〜１０のいずれかに記載の歯科インプラント（１，１’）。
【請求項１２】
接続ローブ（１７１）の数およびローブ連結領域（１７２）の数は、６に等しい、請求項１〜１１のいずれかに記載の歯科インプラント（１，１’）。
【請求項１３】
安定化セクション（１６）は、歯冠方向に広がる円錐台であって、歯科インプラント（１，１’）の軸（Ａ）に対して５度〜７．９度、より好ましくは５度〜７．７度、さらにより好ましくは５度〜７度、最も好ましくは７度の角度を有する歯冠開口を備えた円錐台として成形される、請求項１〜１２のいずれかに記載の歯科インプラント（１，１’）。
【請求項１４】
歯冠セクション（１１）は、その外側部分において、歯科インプラント（１，１’）の歯冠端部から根尖方向に延びる円滑セクション（１２）と、
円滑セクション（１２）の根尖端部からねじ領域（１４）の歯冠端部まで根尖方向に延びるねじセクション（１３）を含み、
ねじセクション（１３）は、２次部品を歯科インプラント（１，１’）の外側部分に固定するように構成され、及び／又は、ねじセクションは、逆ねじを含み、及び／又は、ねじセクション（１３）は、歯科インプラント（１，１’）のオッセオインテグレーションを促進するように構成される、請求項１〜１３のいずれかに記載の歯科インプラント（１，１’）。
【請求項１５】
歯科インプラント（１，１’）の歯冠セクション（１１）の円滑セクション（１２）は、歯科インプラント（１，１’）の歯冠端部の近傍にベベル部分（１２１）を備え、
ベベル部分（１２１）は、その周辺において根尖側に傾斜している、請求項１４に記載の歯科インプラント（１，１’）。
【請求項１６】
ベベル部分（１２１）は、歯科インプラント（１，１’）の軸（Ａ）に垂直な面に対して１７〜２７度の角度、より好ましくは２０〜２４度の角度、最も好ましくは２２．５度の角度を形成する、請求項１５に記載の歯科インプラント（１，１’）。
【請求項１７】
歯科インプラント（１，１’）の歯冠端部は、ベベル部分（１２１）に近接する平坦な肩部（１２２）によって画定され、平坦な肩部（１２２は、好ましくは、歯科インプラント（１，１’）の軸（Ａ）に垂直な面上にあり、さらに好ましくは、歯科インプラント（１，１’）の軸（Ａ）から延びる半径に沿って、平坦な肩部（１２２）の半径方向幅と、半径上のベベル部分（１２１）の突起の半径方向幅との比率は、１／５〜１／３である、請求項１５または１６に記載の歯科インプラント（１，１’）。
【請求項１８】
アンダーカット（１７６）が、駆動割出しセクション（１７）の根尖端部に設けられる、請求項１〜１７のいずれかに記載の歯科インプラント（１，１’）。
【請求項１９】
アンダーカット（１７６）が、駆動割出しセクション（１７）の根尖端部と根尖雌ねじセクション（１８）の歯冠プラットフォーム（１８１）との間に設けられる、請求項２〜１７のいずれかに記載の歯科インプラント（１，１’）。
【請求項２０】
アンダーカット（１７６）が、ローブ連結領域（１７２）の根尖部分のレッジ（１７３２）の下方に、歯科インプラント（１，１’）の内部ブラインド穴の根尖雌ねじセクション（１８）の歯冠プラットフォーム（１８１）まで延びている、請求項８〜１７のいずれかに記載の歯科インプラント（１，１’）。
【請求項２１】
歯冠プラットフォーム（１８１）は、歯科インプラント（１，１’）の軸（Ａ）に垂直な面上に延びている、請求項１９または２０に記載の歯科インプラント（１，１’）。
【請求項２２】
アンダーカット（１７６）は、歯科インプラント（１，１’）の駆動割出しセクション（１７）の接続ローブ（１７１）において減少した延長部を有する、請求項１８〜２１のいずれかに記載の歯科インプラント（１，１’）。
【請求項２３】
ねじ領域（１４）は、少なくとも１つの溝（１４１、１４１’）を含み、
該少なくとも１つの溝（１４１、１４１’）は、好ましくは、歯科インプラント（１，１’）が時計回りおよび反時計回りの両方向に回転する場合、骨を粉砕し、骨を収集し、骨を凝縮し、骨を分散させるように構成され、及び／又は、好ましくは、歯科インプラント（１，１’）のねじ領域（１４）のねじ（１４２）は、ヘリカル形状を有する、請求項１〜２２のいずれかに記載の歯科インプラント（１，１’）。
【請求項２４】
歯科インプラント（１，１’）のための２次部品（２，２’）であって、
２次部品（２，２’）は、その長手方向軸（Ａ）に沿って延びる中央穴（２２１）を有し、長手方向軸（Ａ）は長手方向を規定しており、
２次部品（２，２’）は、２次部品（２，２’）の歯冠端部を含む歯冠セクション（２１）と、
歯冠セクション（２１）の根尖端部から根尖側に延びる安定化セクション（２２）と、
安定化セクション（２２）の根尖端部から根尖側に延びる割出しセクション（２３）とを含み、
割出しセクション（２３）には、凹形状を有し、長手方向に延びる複数の接続ローブ（２７１）が設けられ、
接続ローブ（２７１）は、長手方向に延びる個々のローブ連結領域（２７２）によって相互接続され、
ローブ連結領域（２７２）の各々は、長手方向に延びる、個々の接続ローブ（２７１）に近接する２つの凸部（２７４）と、２つの凸部（２７４）の間で長手方向に延びる凹部（２７５）とを含む、２次部品（２，２’）。
【請求項２５】
接続ローブ（２７１）およびローブ連結領域（２７２）の両方は、割出しセクション（２３）の軸方向延長部全体に実質的に沿って延びている、請求項２４に記載の２次部品（２，２’）。
【請求項２６】
接続ローブ（２７１）は、２次部品（２，２’）の軸（Ａ）に平行な側面領域を備えた個々の円筒の一部であり、好ましくは、円筒部分は半円筒である、請求項２４または２５に記載の２次部品（２，２’）。
【請求項２７】
ローブ連結領域（２７２）の凹部および凸部（２７４，２７５）は、２次部品（２，２’）の軸（Ａ）に平行な側面領域を備えた個々の円筒の一部である、請求項２４〜２６のいずれかに記載の２次部品（２，２’）。
【請求項２８】
接続ローブ（２７１）の数およびローブ連結領域（２７２）の数は、６に等しい、請求項２４〜２７のいずれかに記載の２次部品（２，２’）。
【請求項２９】
安定化セクション（２２）は、歯冠方向に広がる円錐台として成形された少なくとも１つの根尖部分（２２２）を含み、
好ましくは、根尖部分（２２２）の歯冠開口は、２次部品（２，２’）の軸（Ａ）に対して５度〜７．９度、より好ましくは５度〜７．７度、さらにより好ましくは５度〜７度、最も好ましくは７度の角度を有する、請求項２４〜２８のいずれかに記載の２次部品（２，２’）。
【請求項３０】
安定化セクション（２２）はさらに、歯冠方向に広がる歯冠部分（２２１、２２１’）であって、安定化セクション（２２）の根尖部分（２２２）の外向き広がりセクションと比べて、より大きい外向き広がりセクションを有する歯冠部分（２２１、２２１’）を含んでもよく、例えば、２次部品（２、２’）の歯冠セクション（２１）の根尖端部において支持レッジ（２１３、２１３’）の形成を可能にする、請求項２９に記載の２次部品（２，２’）。
【請求項３１】
歯冠セクション（２１）はさらに、その上に歯科補綴物を回転方向に位置決めするための手段（２１２）を含む、請求項２４〜３０のいずれかに記載の２次部品（２，２’）。
【請求項３２】
安定化セクション（２２）の歯冠部分（２２１’）と安定化セクション（２２）の根尖部分（２２２）との間の界面には、ベベル面（２２３）が形成され、ベベル面（２２３）は、その周辺に向かって根尖側に傾斜している、請求項３０または３１に記載の２次部品（２’）。
【請求項３３】
ベベル面（２２３）は、２次部品（２’）の軸Ａに垂直な面に対して１７〜２７度の角度、より好ましくは２０〜２４度の角度、最も好ましくは２２．５度の角度を形成する、請求項３２に記載の２次部品（２’）。
【請求項３４】
２次部品（２，２’）は、単一の歯または歯科ブリッジを支持するためのアバットメントである、請求項２４〜３３のいずれかに記載の２次部品（２，２’）。
【請求項３５】
歯科インプラント（１，１’）のための挿入ツール（４）であって、
挿入ツール（４）は、長手方向を規定する長手方向軸（Ａ）を有し、
回転装置との接続のためのシャンク部（４１１）を有する歯冠セクション（４１）と、
歯科インプラント（１，１’）の内穴と係合するための根尖セクション（４２）とを含み、
根尖セクション（４２）は、歯冠から根尖へ、第１安定化セクション（４２１）および駆動セクション（４２２）を含み、
駆動セクション（４２２）には、凸形状を有し、長手方向に延びる複数の接続ローブ（４７１）が設けられ、
接続ローブ（４７１）は、長手方向に延びる個々のローブ連結領域（４７２）によって相互接続され、
ローブ連結領域（４７２）の各々は、実質的に凹形状を有する、挿入ツール（４）。
【請求項３６】
ローブ連結領域（４７２）は、長手方向に延びる、個々の接続ローブ（４７１）に近接する２つの凹部と、２つの凸部の間で長手方向に延びる凸部とを含む、請求項３５に記載の挿入ツール（４）。
【請求項３７】
接続ローブ（４７１）およびローブ連結領域（４７２）の両方は、駆動セクション（４２２）の軸方向延長部全体に実質的に沿って延びている、請求項３５または３６に記載の挿入ツール（４）。
【請求項３８】
接続ローブ（４７１）は、挿入ツール（４）の軸（Ａ）に平行な側面領域を備えた個々の円筒の一部であり、好ましくは、円筒部分は半円筒である、請求項３５〜３７のいずれかに記載の挿入ツール（４）。
【請求項３９】
ローブ連結領域（４７２）は、挿入ツール（４）の軸（Ａ）に平行な側面領域を備えた個々の円筒の一部であり、好ましくは、円筒部分は半円筒であり、あるいは、ローブ連結領域（４７２）の凹部および凸部は、挿入ツール（４）の軸（Ａ）に平行な側面領域を備えた個々の円筒の一部である、請求項３５〜３８のいずれかに記載の挿入ツール（４）。
【請求項４０】
接続ローブ（４７１）の数およびローブ連結領域（４７２）の数は、６に等しい、請求項３５〜３９のいずれかに記載の挿入ツール（４）。
【請求項４１】
第１安定化セクション（４２１）は、全体として、歯冠側に広がる円錐台として成形され、好ましくは、第１安定化セクション（４２１）の歯冠開口は、挿入ツール（４）の軸（Ａ）に対して５度〜７．９度、より好ましくは５度〜７．７度、さらにより好ましくは５度〜７度、最も好ましくは７度の角度を有する、請求項３５〜４０のいずれかに記載の挿入ツール（４）。
【請求項４２】
挿入ツール（４）の軸（Ａ）周りの周囲に形成された円形凹所（４８８）をさらに含み、円形凹所（４８８）は、駆動セクション（４２２）を歯冠部分（４２２１）と根尖部分（４２２２）に分割し、円形凹所（４８８）は、弾性ＯリングまたはスプリットＣリングを収容するように構成される、請求項３５〜４１のいずれかに記載の挿入ツール（４）。
【請求項４３】
駆動セクション（４２２）の根尖端部に配置され、挿入ツール（４）の根尖端部を画定する第２安定化セクション（４２３）をさらに含み、
第２安定化セクションは、好ましくは、円筒形状を有する、請求項３５〜４２のいずれかに記載の挿入ツール（４）。
【請求項４４】
歯冠セクション（４１）は、その歯冠領域において、回転機械と係合するように構成された係合エレメント（４１４）を含み、及び／又は、歯冠セクション（４１）は、その根尖領域において、手動トルク印加ツールと係合するように構成された手動ツール係合セクション（４１２）を含み、
好ましくは、手動ツール係合セクション（４１２）は、六角形であり、六角形の各側面は、挿入ツール（４）の軸断面に沿って複数の凹所（４１３）を含み、凹所（４１３）の各々は、実質的に円錐形状を有する、請求項３５〜４３のいずれかに記載の挿入ツール（４）。
【請求項４５】
請求項１〜２３のいずれかに記載の歯科インプラントと、
請求項２４〜３４のいずれかに記載の２次部品とを含む、歯科インプラントシステム。
【請求項４６】
請求項１〜２３のいずれかに記載の歯科インプラントと、
請求項２４〜３４のいずれかに記載の２次部品と、
請求項３５〜４４のいずれかに記載の挿入ツールとを含む、歯科インプラントシステム。
【請求項４７】
ねじ込み可能な２次部品（５）をさらに含み、ねじ込み可能な２次部品（５）は、軸対称な形状のセクションにおいて雌ねじ（５１）を含み、そのため、ねじ込み可能な２次部品（５）は、歯科インプラント（１，１）の歯冠セクション（１１）の雄ねじセクション（１３）にねじ込み可能である、請求項４５または４６に記載の歯科インプラントシステム。
【請求項４８】
ねじ込み可能な２次部品（５）は、ねじ込み可能な２次部品（５）の長手方向軸（Ａ）に垂直な面に対して１７〜２７度の傾斜角度、より好ましくは２０〜２４度の角度、最も好ましくは２２．５度の角度を有する内部ベベル面を含む、請求項４７に記載の歯科インプラントシステム。
【請求項４９】
ねじ込み可能な２次部品（５）は、歯冠円筒セクション（５３）、ベベル円錐台形状セクション（５４）、および根尖円筒セクション（５５）を含む軸対称回転体の全体形状を有し、好ましくは、ねじ込み可能な２次部品の歯冠円筒セクション（５３）は、ねじ込み可能な２次部品（５）の根尖円筒セクション（５５）より直径が小さく、
ベベル円錐台形状セクション（５４）は、両者間に上部構造のための並置面を形成し、
さらに好ましくは、ベベル円錐台形状セクション（５４）は、２次部品（５）の軸（Ａ）に垂直な面に対して１７〜２７度の角度、より好ましくは２０〜２４度の角度、最も好ましくは２２．５度の角度を形成する、請求項４７または４８に記載の歯科インプラントシステム。
【請求項５０】
その長手方向軸（Ａ）に沿って回転対称な回転体として成形されたヒーリングキャップ（６）をさらに含み、ヒーリングキャップ（６）は、その歯冠端部に配置された拡大頭部（６２）を有し、
拡大頭部（６２）には、レンチ係合手段（６１）が設けられ、
ヒーリングキャップ（６）の拡大頭部（６２）は、さらに根尖側に、歯科インプラント（１，１）の安定化セクション（１６）に正確に合致する安定化セクション（６３）が続いている、請求項４５〜４９のいずれかに記載の歯科インプラントシステム。
【請求項５１】
ヒーリングキャップ（６２）はさらに、安定化セクション（６３）から根尖側に、中間セクション（６４）と、
歯科インプラント（１，１’）の根尖雌ねじセクション（１８）の雌ねじ（１８２）と螺合するように構成されたねじセクション（６５）とを含む、請求項５０に記載の歯科インプラントシステム。
【請求項５２】
ヒーリングキャップ（６２）はさらに、安定化セクション（６３）から根尖側に、歯科インプラント（１，１’）の駆動割出しセクション（１７）の外形に追従する追加セクションを含む、請求項５０に記載の歯科インプラントシステム。
【請求項５３】
ヒーリングキャップ（６５）は、歯科インプラント（１，１’）の歯冠セクション（１１）の円滑セクション（１２）のベベル部分（１２１）の形状に正確に追従する内部ベベル面（６６）を含み、そのためヒーリングキャップ（６）の内部ベベル面は、ヒーリングキャップ（６）の長手方向軸（Ａ）に垂直な面に対して１７度〜２７度の角度、より好ましくは２０度〜２４度の角度、最も好ましくは２２．５度の角度を有する、請求項５０〜５２のいずれかに記載の歯科インプラントシステム。
【発明の詳細な説明】
【技術分野】
【０００１】
本発明は、一般に、挿入ツールのため、及び／又は２次部品(secondary part)及び／又は歯科インプラントに重なり合う他の重ね合わせエレメント、例えば、アバットメント(abutment)のための、改善されたカップリングを備えた歯科インプラントに関する。本発明はまた、歯科インプラントとの改善されたカップリングを備えた２次部品、例えば、アバットメントに関する。さらに本発明はまた、歯科インプラントとの改善されたカップリングを備えた挿入ツールに関する。さらに本発明はまた、歯科インプラントシステム、特に、歯科インプラントと２次部品、例えば、アバットメントとの間の改善されたカップリングを備えたマルチ部品歯科インプラントシステムに関し、このカップリングは、歯科インプラントを受入骨に配置することを意図した挿入ツールとの協働に適している。
【背景技術】
【０００２】
一般に、マルチ部品歯科インプラントシステムは、人間の歯の部分を再構築するために歯科手術で使用される。通常、マルチ部品インプラントシステムが、歯科インプラント、好ましくは歯科スクリュー（これは、例えば、骨組織内に用意された受入骨の中にねじ込みまたは圧入によって挿入される）と、歯科インプラントの内部ブラインド穴に装着可能なアバットメントまたは２次部品とで構成される。アバットメントまたは２次部品は、とりわけ歯科補綴物(prosthesis)または歯科ブリッジを支持するように構成される。歯科インプラントへのアバットメントまたは２次部品の装着は、歯科インプラントの内部ブラインド穴の雌ねじにねじ込み式に固定された接続スクリューによって達成される。
【０００３】
歯科インプラント、特に、歯科インプラントスクリュー、２次部品（即ち、アバットメント）および接続スクリューを含む歯科インプラントシステムは、米国公開第２００５／０２８７４９７Ａ１号から知られている。既知の歯科インプラントの内部ブラインド穴は、歯科インプラントの歯冠端部から延びる安定化セクションと、安定化セクションの根尖端部から根尖側に延びる駆動割出し(drive and indexing)セクションと、駆動割出しセクションの根尖から根尖側に延びる雌ねじセクションとを含む。既知の駆動割出しセクションは、凸部の間に介在した凹部を備えた、交互に等しく寸法化された複数のローブ(lobe)で形成され、そのため花弁に似た構成が実装される。米国公開第２００５／０２８７４９７Ａ１号の既知の歯科インプラントシステムのアバットメントは、その根尖端部において、歯科インプラントの安定化セクションおよび駆動割出しセクションに対して相補的な方法で成形され、さらに、歯科インプラントのブラインド穴の雌ねじセクションと係合するために、そして歯科インプラント上の所定の角度位置に固定されたアバットメントを保持するために、接続スクリューが貫通できるようにした貫通穴を有する。
【０００４】
上記のマルチ部品インプラントシステムで頻繁に生ずる問題が、骨組織に既に配置されている歯科インプラント内のアバットメントまたは２次部品の正確な角度位置決めおよび安定性の困難さである。さらに、２次部品を歯科インプラントに位置決めし、それを、歯科インプラントを骨組織に配置するために使用される挿入器具に結合するために、同じカップリング手段が使用されるため、カップリング手段の充分なトルク抵抗の問題が生ずる。マルチ部品歯科インプラントシステムで生ずるさらに他の問題は、歯科インプラントと２次部品との間のシーリング(sealing:封止)であり、滅菌のために、カップリング手段を経由した歯科インプラントの内部ブラインド穴への流体の浸入を最小化する必要がある。
【０００５】
米国公開第２００５／０２８７４９７Ａ１号において、歯科インプラント上の２次部品の正しい角度位置決めの問題は、歯科インプラントと２次部品（即ち、アバットメント）の内部接続を考案することによって対処されており、歯科インプラントは、２次部品を設置するための上記ローブ構成と、歯科インプラントと対応する２次部品との間の安定性を提供するために、ローブ構成の近位側に位置決めされたベベル（傾斜）面とを含む。
【発明の概要】
【発明が解決しようとする課題】
【０００６】
それでも、歯科の技術分野において依然として歯科インプラント、２次部品、挿入ツール、および歯科インプラントと２次部品を含む歯科インプラントシステムを提供する必要性があり、上記の位置決めおよび安定性の問題は、ねじり強度およびシーリングの問題とともに、満足する方法で解決される。
【課題を解決するための手段】
【０００７】
（発明の要旨）
本発明の目的は、改善された歯科インプラント、改善された２次部品、改善された挿入ツール、および歯科インプラントおよび２次部品を含む改善された歯科インプラントシステムを提供することであり、これは先行技術装置の欠点を回避しており、複数の角度位置での歯科インプラントと２次部品との間の安定した滅菌カップリングを可能にし、同時に、歯科インプラントと２次部品及び／又は挿入ツールとの間のカップリングの機械的強度とねじり抵抗は、従来の先行技術の手法と比べて増加する。
【０００８】
この目的の範囲内で、本発明の目的は、改善された歯科インプラント、改善された２次部品、改善された挿入ツール、および種々の上部構造を支持するために複数の歯科用途で使用できる歯科インプラントを含む改善された歯科インプラントシステムを提供することである。
【０００９】
さらに、上記目的の範囲内で、本発明の他の目的は、改善された歯科インプラント、改善された２次部品、改善された挿入ツール、および容易に製造できる歯科インプラントを含む改善された歯科インプラントシステムを提供することであり、こうして歯科インプラントシステム全体および個々のコンポーネントの生産の全体的なコストを削減する。
【００１０】
本発明のさらに他の目的は、部品の数が最小化される、マルチ部品歯科インプラントシステムのための改善されたカップリングを提供することである。
【００１１】
この目的、これらの目的、および以下の説明からより明らかになる他の目的は、請求項１で定義される歯科インプラント、請求項２４で定義される歯科インプラント用２次部品、請求項３５で定義される挿入ツール、そして、請求項４５，４６で定義される歯科インプラントシステムによって達成される。
【００１２】
本発明の更なる好都合な態様は、添付の従属請求項に定義されている。
【００１３】
本発明は、その特定の実施形態において、２次部品を含む歯科インプラントシステムで使用する歯科インプラントを提供し、
歯科インプラントは、歯科インプラントの歯冠端部(coronal end)を含む歯冠セクションと、
歯冠セクションから歯科インプラントの根尖根尖(apical tip)まで根尖側に延びるねじ領域と、
２次部品との接続のための内部ブラインド穴であって、歯科インプラントの歯冠端部から根尖側に延びる安定化セクション、および安定化セクションの根尖端部(apical end)から根尖側に延びる駆動割出しセクションを含む、内部ブラインド穴とを含み、
駆動割出しセクションには、凹形状を有し、長手方向に延びる複数の接続ローブ(lobe)が設けられ、
接続ローブは、長手方向に延びる個々のローブ連結領域によって相互接続され、
ローブ連結領域の各々は、長手方向に延びる、個々の接続ローブに近接する２つの凸部と、２つの凸部の間で長手方向に延びる凹部とを含む。
【００１４】
好ましくは、歯科インプラントの内部ブラインド穴はさらに、その駆動割出しセクションの根尖端部から根尖側に延びる根尖雌ねじセクションを含む。
【００１５】
さらに好ましくは、本発明に係る歯科インプラントにおいて、接続ローブおよびローブ連結領域の両方は、駆動割出しセクションの軸方向延長部全体に実質的に沿って延びる。
【００１６】
代替として、各ローブ連結領域は、段差状の構成を有する根尖部分を含んでもよい。
【００１７】
さらに好ましくは、ローブ連結領域の根尖部分は、歯科インプラントの軸と一致する軸を有する側円筒面の一部である側面を有し、側面には、歯科インプラントの軸に向かって半径方向に延びるレッジ(ledge:突起棚)が設けられる。追加の代替例において、根尖部分は、歯冠側に広がる、歯科インプラントの軸と一致する軸を有する円錐台表面の一部である側面を有してもよく、側面には、歯科インプラントの軸に向かって半径方向に延びるレッジが設けられる。レッジの半径方向延長部は、歯科インプラントの軸に対して略垂直でもよく、または歯科インプラントの軸に対して根尖側に傾斜してもよい。
【００１８】
本発明の歯科インプラントのさらに他の好ましい実施形態によれば、接続ローブは、歯科インプラントの軸に対して平行な側面領域を備えた個々の円筒の一部であり、好ましくは、円筒部分は半円筒である。さらに、ローブ連結領域の凸部および凹部は、歯科インプラントの軸に対して平行な側面領域を備えた個々の円筒の一部でもよい。
【００１９】
さらに好都合には、歯科インプラントは、安定化セクションの根尖端部に近接する駆動割出しセクションの歯冠端部において略円形状プラットフォームを含む。略円形状プラットフォームは、ローブ連結領域の半径方向に突出した歯冠部分によって形成してもよい。
【００２０】
本発明に係る歯科インプラントの追加の好都合な態様によれば、その駆動割出し領域は、６つの接続ローブおよび接続ローブ間に介在する同数のローブ連結領域によって形成される。
【００２１】
上記歯科インプラントにおいて、安定化セクションは、歯冠方向に広がる円錐台であって、歯科インプラントの軸に対して５度〜７．９度、より好ましくは５度〜７．７度、さらにより好ましくは５度〜７度、最も好ましくは７度の角度を有する歯冠開口を備えた円錐台として成形された場合に特に好都合である。前述した全ての範囲は、境界値を含むものと理解され、さらに前述した全ての値は、当業者に知られている工学的許容範囲内の正確な値からの偏差を含むと理解される。同じことが、本願の任意の特徴に関して、下記説明および請求項に示される全ての値、値の範囲、および比率に当てはまる。
【００２２】
上記歯科インプラントにおいて、歯冠セクションは、好ましくは、歯科インプラントの歯冠端部から根尖方向に延び円滑セクションと、円滑セクションの根尖端部からねじ領域の歯冠端部まで根尖方向に延びるねじセクションを含んでもよく、ねじセクションは、２次部品を歯科インプラントの外側部分に固定するように構成され、及び／又は、ねじセクションは、逆ねじ(reverse thread)を含み、及び／又は、ねじセクションは、骨組織内での歯科インプラントのオッセオインテグレーション（骨性結合）を促進するように構成される。
【００２３】
歯科インプラントの歯冠セクションの円滑セクションは、好ましくは、歯科インプラントの歯冠セクションの歯冠端部の近傍にベベル部分を備えてもよく、ベベル部分はその周辺において根尖側に傾斜している。ベベル部分は、歯科インプラントの軸に垂直な平面に対して１７〜２７度の角度、より好ましくは２０〜２４度の角度、最も好ましくは２２．５度の角度を形成する場合に特に好都合である。
【００２４】
歯科インプラントの歯冠端部は、ベベル部分に近接する任意に平坦な肩部によって画定されてもよく、平坦な肩部は、好ましくは、歯科インプラントの軸に垂直な面上にあり、さらに好ましくは、歯科インプラントの軸から延びる半径に沿って、平坦な肩部の半径方向幅と、半径上のベベル部分の突起の半径方向幅との比率は、１／５〜１／３である。それ以外に平坦な肩部が省略されている場合、ベベル部分は、歯科インプラントの歯冠端部を画定する。
【００２５】
本発明のさらに好ましい好都合な態様によれば、駆動割出しセクションの根尖端部において、より好ましくは、駆動割出しセクションの根尖端部と根尖雌ねじセクションの歯冠プラットフォームとの間にアンダーカット(undercut)が設けられる。好ましくは、アンダーカットは、ローブ連結領域の根尖部分のレッジの下方に、歯科インプラントの内部ブラインド穴の根尖雌ねじセクションの歯冠プラットフォームまで延びている。歯冠プラットフォームは、歯科インプラントの軸に垂直な面上に延びてもよい。さらに好ましくは、アンダーカットは、歯科インプラントの駆動割出しセクションの接続ローブにおいて減少した延長部を有するか、あるいは、アンダーカットがほぼ花弁に似た構成を有するように、接続ローブにおいて省略できる。
【００２６】
上記歯科インプラントにおいて、ねじ領域は、少なくとも１つの溝(flute)を含むことが好都合であり、各溝は、好ましくは、歯科インプラントが時計回りおよび反時計回りの両方向に回転する場合、骨を粉砕し、骨を収集し、骨を凝縮し、骨を分散させるように構成される。さらに好ましくは、歯科インプラントのねじ領域（１４）のねじは、ヘリカル（螺旋）形状を有してもよい。
【００２７】
他の実施形態において、本発明は、歯科インプラントまたは歯科インプラントを含む歯科インプラントシステムで使用するための２次部品を提供しており、２次部品は、その長手方向軸に沿って延びる中央穴を有し、長手方向軸は長手方向を規定する。２次部品は、２次部品の歯冠端部を含む歯冠セクションと、歯冠セクションの根尖端部から根尖側に延びる安定化セクションであって、好ましくは、少なくともその根尖端部において、２次部品の歯冠方向に広がる円錐台のように全体的に成形される、安定化セクションと、安定化セクションの根尖端部から根尖側に延びる割出しセクションとを含み、割出しセクションには、凹形状を有し、長手方向に延びる複数の接続ローブが設けられ、接続ローブは、長手方向に延びる個々のローブ連結領域によって相互接続され、ローブ連結領域の各々は、長手方向に延びる、個々の接続ローブに近接する２つの凸部と、２つの凸部の間で長手方向に延びる凹部とを含む。
【００２８】
好ましくは、２次部品は、単一の歯または歯科ブリッジを支持するためのアバットメントとして具体化される。
【００２９】
好ましくは、上記２次部品において、割出しセクションの接続ローブおよびローブ連結領域の両方は、割出しセクションの軸方向延長部全体に実質的に沿って延びる。
【００３０】
さらに好ましくは、２次部品において、接続ローブは、２次部品の軸に平行な側面領域を備えた個々の円筒の一部であり、円筒部分は、さらに好ましくは半円筒である。
【００３１】
また好ましくは、ローブ連結領域の凹部および凸部は、２次部品の軸に平行な側面領域を備えた個々の円筒の一部である。
【００３２】
好都合には、２次部品の割出しセクションの接続ローブの数およびローブ連結領域の数は、６に等しい。
【００３３】
上記２次部品の好都合な態様によれば、安定化セクションの根尖部分は、歯冠方向に広がる円錐台であって、２次部品の軸に対して５度〜７．９度、より好ましくは５度〜７．７度、さらにより好ましくは５度〜７度、最も好ましくは７度の角度を有する歯冠開口を備えた円錐台として成形される。
【００３４】
安定化セクションはさらに好都合には、安定化セクションの根尖部分の外向き広がり領域と比べて、より大きい外向き広がり領域を有する歯冠部分を含んでもよく、例えば、２次部品の歯冠セクションの根尖端部において支持レッジの形成を可能にする。
【００３５】
さらに、任意の態様によれば、上記２次部品の歯冠セクションはさらに、その上に歯科補綴物を回転方向に位置決めするための手段を含み、補綴物は、単一の歯または歯科ブリッジを含んでもよい。
【００３６】
上述２次部品の更なる好都合な態様によれば、安定化セクションの歯冠部分と安定化セクションの根尖部分との間の界面はベベル面として形成され、ベベル面は、その周辺に向かって根尖側に傾斜している。ベベル面は、２次部品の軸Ａに垂直な面に対して１７〜２７度の角度、より好ましくは２０〜２４度の角度、最も好ましくは２２．５度の角度を形成してもよい。
【００３７】
更なる実施形態において、本発明は、歯科インプラントまたは歯科インプラントを含む歯科インプラントシステムで使用するための挿入ツールを提供しており、挿入ツールは、長手方向を規定する長手方向軸を有し、挿入ツールは、回転装置との接続のためのシャンク(shank)部を有する歯冠セクションと、歯科インプラントの内穴と係合するための根尖セクションとを含み、根尖セクションは、歯冠から根尖へ、第１安定化セクションおよび駆動セクションを含み、駆動セクションには、凸形状を有し、長手方向に延びる複数の接続ローブが設けられ、接続ローブは、長手方向に延びる個々のローブ連結領域によって相互接続され、ローブ連結領域の各々は、実質的に凹形状である。
【００３８】
好ましくは、挿入ツールの駆動セクションのローブ連結領域は、長手方向に延びる、その個々の接続ローブに近接する２つの凹部と、２つの凸部の間で長手方向に延びる凸部とを含む。
【００３９】
また好ましくは、上記挿入ツールにおいて、駆動セクションの接続ローブおよびローブ連結領域の両方は、駆動セクションの軸方向延長部全体に実質的に沿って延びる。
【００４０】
前述の挿入ツールの駆動セクションの接続ローブは、挿入ツールの軸に平行な側面領域を備えた個々の円筒の一部であり、好ましくは、円筒部分は半円筒である。
【００４１】
さらに、好ましくは、前述の挿入ツールの駆動セクションのローブ連結領域は、挿入ツールの軸に平行な側面領域を備えた個々の円筒の一部であり、さらに好ましくは、円筒部分は半円筒である。
【００４２】
代替として、挿入ツールの駆動セクションのローブ連結領域は、長手方向に延びる、その個々の接続ローブに近接した２つの凹部と、２つの凸部の間で長手方向に延びる凸部とを含む場合、ローブ連結領域の凹部および凸部は、挿入ツールの軸に平行な側面領域を備えた個々の円筒の一部である。
【００４３】
上述した挿入ツールの駆動セクションの接続ローブの数およびローブ連結領域の数は、好ましくは６に等しい。
【００４４】
上述の挿入ツールにおいて、第１安定化セクションは、全体として、歯冠側に広がる円錐台として成形されてもよく、さらに好ましくは、第１安定化セクションの歯冠開口は、挿入ツールの軸に対して５度〜７．９度、より好ましくは５度〜７．７度、さらにより好ましくは５度〜７度、最も好ましくは７度の角度を有する。
【００４５】
挿入ツールはさらに、挿入ツールの軸周りの周囲に形成された円形凹所(recess)を含んでもよく、円形凹所は、駆動セクションを歯冠部分と根尖部分に分割し、円形凹所は、弾性ＯリングまたはスプリットＣリングを収容するように構成される。
【００４６】
好ましい実施形態において、上記挿入ツールは、駆動セクションの根尖端部に配置され、挿入ツールの根尖端部を画定する第２安定化セクションを含み、第２安定化セクションは、好ましくは、歯科インプラントのブラインド穴の雌ねじセクションに合致(match)するように寸法化された円筒形状を有する。
【００４７】
さらに、上記歯科インプラントの歯冠セクションは、その歯冠領域において、回転機械と係合するように構成された係合エレメントを含んでもよく、及び／又は、挿入ツールの歯冠セクションは、その根尖領域において、手動トルク印加ツールと係合するように構成された手動ツール係合セクションを含んでもよく、好ましくは、手動ツール係合セクションは、挿入ツールの軸断面に沿って六角形であり、六角形の各側面は、複数の凹所、好ましくは実質的に円錐形の複数の凹所を含む。
【００４８】
さらに他の実施形態において、歯科インプラントシステムが提供され、歯科インプラントシステムは、上述したような歯科インプラントおよび２次部品を含む。好ましくは、歯科インプラントシステムはさらに、上記のようなアタッチメントツールを含む。
【００４９】
歯科システムはさらに、ヒーリングキャップ、インプレッション（印象）キャップ、およびねじ込み可能な２次部品を含んでもよく、これらは、歯科インプラントの内部ブラインド穴を貫通する固定スクリューを必要とせずに、歯科インプラントの外側にねじ込み可能である。
【００５０】
好ましくは、ねじ込み可能な２次部品は、軸対称な形状のセクションにおいて雌ねじを含み、そのため、ねじ込み可能な２次部品は、歯科インプラントの歯冠セクションの雄ねじセクションにねじ込み可能である。ねじ込み可能な２次部品はさらに、ねじ込み可能な２次部品の長手方向軸に垂直な面に対して１７〜２７度の傾斜角度、より好ましくは２０〜２４度の角度、最も好ましくは２２．５度の角度を有する内部ベベル面を含んでもよい。さらに、ねじ込み可能な２次部品は、歯冠円筒セクション、ベベル円錐台形状セクション、および根尖円筒セクションを含む軸対称回転体の全体形状を有してもよく、好ましくは、ねじ込み可能な２次部品の歯冠円筒セクションは、ねじ込み可能な２次部品の根尖円筒セクションより直径が小さく、ベベル円錐台形状セクションは、両者間に上部構造のための並置(apposition)面を形成し、さらに好ましくは、ベベル円錐台形状セクションは、２次部品の軸に垂直な面に対して１７〜２７度の角度、より好ましくは２０〜２４度の角度、最も好ましくは２２．５度の角度を形成する。
【００５１】
好ましくは、ヒーリングキャップは、その長手方向軸に沿って回転対称な回転体として成形され、ヒーリングキャップは、その歯冠端部に配置された拡大頭部を有し、拡大頭部にはレンチ係合手段が設けられ、ヒーリングキャップの拡大頭部は、さらに根尖側に、安定化セクションが続いており、これは歯科インプラントの安定化セクションに正確に合致する。
【００５２】
ヒーリングキャップはさらに、必要に応じて、安定化セクションから根尖側に、中間セクションと、歯科インプラントの内部ブラインド穴の根尖雌ねじセクションの雌ねじと螺合するように構成されたねじセクションとを含んでもよい。
【００５３】
さらに好ましい代替例によれば、ヒーリングキャップはさらに、安定化セクションから根尖側に、歯科インプラントの駆動割出しセクションの外形に追従する追加セクションを含む。
【００５４】
さらに全ての実施形態において、ヒーリングキャップは、好都合には、歯科インプラントの歯冠セクションの円滑セクションのベベル部分の形状に正確に追従する内部ベベル面を含んでもよく、そのためヒーリングキャップの内部ベベル面は、ヒーリングキャップの長手方向軸に垂直な面に対して１７度〜２７度の角度、より好ましくは２０度〜２４度の角度、最も好ましくは２２．５度の角度を有する。
【図面の簡単な説明】
【００５５】
本発明の更なる特徴および利点は、添付図面において非限定的な例として示した本発明に係るインプラントシステムの好ましいが排他的ではない実施形態の下記説明からより明らかになるであろう。
【００５６】
【図１】２次部品用のカップリングを組み込んだ歯科インプラントの側面図であり、カップリングは本発明に従って考案されている。
【図２】図１の歯科インプラントの破断断面斜視図である。
【図２Ａ】図２の歯科インプラントの破断断面斜視図のあるセクションの拡大図である。
【図３】図１の歯科インプラントの上面図である。
【図３Ａ】図３に係る歯科インプラントの上面図の拡大詳細である。
【図３Ｂ】図３Ｂは、図３Ａの拡大詳細の変形例である。
【図４】図１の歯科インプラントの部分断面図である。
【図５Ａ】２次部品が搭載された図１〜図４の歯科インプラントの側面図である。
【図５Ｂ】２次部品が搭載された図１〜図４の歯科インプラントの断面図である。
【図５Ｃ】図５Ｂの拡大詳細図である。
【図５Ｄ】図５Ａの２次部品が接続スクリューによって上に固定された歯科インプラントの斜視図である。
【図５Ｅ】２次部品が接続スクリューによって搭載された図５Ａの歯科インプラントの破断断面斜視図である。
【図６Ａ】図１〜図５Ｅに示す歯科インプラントに受け入れられるように構成された、本発明に係る２次部品の斜視図である。
【図６Ｂ】図１〜図５Ｅに示す歯科インプラントに受け入れられるように構成された、本発明による２次部品の底面図である。
【図７Ａ】図５Ａ〜図５Ｅの２次部品とは異なる２次部品が搭載された、図１〜図４の歯科インプラントと比べて変更した歯科インプラントの側面図である。
【図７Ｂ】２次部品が搭載された図７Ａの歯科インプラントの断面図である。
【図７Ｃ】接続スクリューを用いて２次部品がねじ式に固定された図７Ａの歯科インプラントの斜視図である。
【図７Ｄ】接続スクリューを用いて２次部品が搭載された図７Ａの歯科インプラントの破断断面斜視図である。
【図７Ｅ】図７Ａ〜図７Ｄの２次部品の斜視図である。
【図８Ａ】挿入ツールが搭載された図１〜図４の歯科インプラントの側面図である。
【図８Ｂ】挿入ツールが搭載された図８Ａの歯科インプラントの断面図である。
【図８Ｃ】挿入ツールが搭載された図８Ａの歯科インプラントの破断断面斜視図である。
【図８Ｄ】挿入ツールが搭載された図８Ａの歯科インプラントの斜視図である。
【図９】上記図に記載された本発明に係る歯科インプラントに受け入れられるように構成された本発明に係る挿入ツールの斜視図である。
【図１０Ａ】さらに異なる２次部品が搭載された図１〜図４の歯科インプラントの側面図である。
【図１０Ｂ】さらに異なる２次部品が搭載された図１０Ａの歯科インプラントの部分断面図である。
【図１０Ｃ】さらに異なる２次部品が搭載された図１０Ａの歯科インプラントの破断断面斜視図である。
【図１１Ａ】ヒーリングキャップが搭載された図１〜図４の歯科インプラントの側面図である。
【図１１Ｂ】ヒーリングキャップが搭載された図１１Ａの歯科インプラントの断面図である。
【図１１Ｃ】ヒーリングキャップが搭載された図１１Ａの歯科インプラントの破断断面斜視図である。
【発明を実施するための形態】
【００５７】
本明細書において、凹面形状または凸面形状を有するような接続ローブまたは連結領域に言及する場合はいつでも、こうした凹面または凸面は、列挙される歯科物品の長手方向軸に垂直な面に沿って、歯科インプラント、２次部品、挿入ツール、ヒーリングキャップの横断面を参照するものと理解される。
【００５８】
添付した図１を参照して、参照番号１は、歯科インプラント、特に歯冠セクション１１と、歯科インプラントの歯冠セクション１１から根尖先端１５まで根尖側に延びるねじ領域１４とを有する歯科インプラントスクリューを指す。歯冠セクション１１は、その外側部分において、歯科インプラント１の歯冠端部から根尖方向に延びる円滑セクション１２と、円滑セクション１２の根尖端部から根尖方向にねじ領域１４の歯冠端部まで延びるねじセクション１３とを含む。歯科インプラント１は、例えば、図１に示すように、長手方向軸Ａを備えた略円筒形状を有する。
【００５９】
歯科インプラント１の歯冠セクションのねじセクションは、歯科インプラント１の任意の特徴であり、骨保持およびオッセオインテグレーション(osseointegration)を改善するために、例えば、マイクロねじの形態で設けてもよい。必要に応じて、歯冠セクション１１のねじセクション１３は、好ましくは、０．５ｍｍのピッチ、および２５度〜４５度、より好ましくは２５度〜３５度、最も好ましくは２５度のねじ角を備えたダブルリードを有するように構成してもよい。必要に応じて、歯冠セクション１１のねじセクション１３は、歯科インプラント１のねじセクション１４の構成に従って構成してもよく、及び／又は、それは、骨内での歯科インプラント１のオッセオインテグレーションを促進するよう構成してもよい。必要に応じて、歯科インプラント１の歯冠セクション１１のねじセクション１３は、該技術分野で知られているような少なくとも１つ以上のねじパラメータに従って構成してもよく、例えば、これらに限定されないが、ねじ変数及び／又はパラメータのリード、ピッチ、ねじ角、厚さ、外径、小径、テーパー角、ねじ配向、終了位置、開始位置、間隙率(porosity)、ストップの数、開始の数、リードの数、カットの数、導入角など、またはこれらの組合せを含む。
【００６０】
さらに他の好ましい代替例によれば、歯科インプラント１の歯冠セクション１１のねじセクション１３は、それが挿入されている骨からの歯科インプラント１の取り外しを促進するために、歯科インプラント１の外側部分で逆ねじ(reverse thread)として具現化してもよい。歯科インプラントのこうした取り外しは、当業者にとって周知である器具を用いて実施できる。
【００６１】
さらに、歯科インプラント１の歯冠セクション１１のねじセクション１３は、以下に説明する溝(flute)とともに、国際特許出願第２０１５／１１８５４３Ａ１号（Fromovich）（その個々の内容は参照によりここに組み込まれる）に詳細に開示されているように、セルフドリリング、セルフタッピング、セルフコレクション骨および骨凝縮のタイプでもよい。こうして本発明のねじセクションおよび溝は、骨挿入中に動的作用を提供する。後者の実施形態に係るインプラントは、骨成長後の治癒部位において利用してもよく、または、抜去部位で利用してもよい。
【００６２】
さらに他の好ましい代替例によれば、歯科インプラント１の歯冠セクション１１のねじセクション１３は、歯科インプラント１の外側部分に固定される２次部品を固定するためのねじ山として具現化してもよい。本発明の文脈において、２次部品は、歯科インプラント上に配置できる任意の上部構造、例えば、歯科クラウンを含む単一の歯を支持するため、または、歯科ブリッジを支持するために構成された歯科アバットメントを指すことを意図している。この説明のより良い理解のために、「２次部品」が具体的なエレメント、例えば、歯科クラウンを含む単一の歯を支持するため、または、歯科ブリッジを支持するため、またはヒーリングキャップ、インプレッション（印象）キャップを保持するために構成されたアバットメントを指すことを意図しない限り、総称用語「２次部品」が使用される。
【００６３】
歯科インプラント１の歯冠セクション１１の円滑セクション１２はさらに、必要に応じてその歯冠端部の近傍にベベル部１２１を備えてもよい。このように歯科インプラント１の歯冠セクション１１の円滑セクション１２は、一般に、歯冠から根尖まで、円筒形外形に続いて円錐台外形を有するようになる。ベベル部１２１は、好都合には、重なり合う２次部品とのより安定した接続を提供する。さらに、後述するように、ベベル部１２１は、好都合には、重なり合う２次部品との良好なシーリングを提供できる。
【００６４】
好ましくは、ベベル部１２１は、歯科インプラント１の軸Ａに垂直な面に対して１７〜２７度の角度、より好ましくは２０〜２４度の角度、最も好ましくは２２．５度の角度を形成する。ベベル部１２１の後者の最も好ましい傾斜角は、歯科インプラントが重なり合う２次部品（例えば、単一の歯を支持するため、または、歯科ブリッジを支持するために構成されたアバットメントとして具現化できる）と接続した場合、機械的安定性およびシーリングの点で特に好都合である。
【００６５】
歯科インプラント１の歯冠端部は、好ましくは、ベベル部１２１に近接する平坦な肩部１２２によって画定される。平坦な肩部１２２は、好ましくは、歯科インプラント１の軸Ａに垂直な面上に位置する。さらに、歯科インプラント１の軸Ａから延びる半径に沿って、平坦な肩部１２２の半径方向幅と、半径上のベベル部１２１の突起の半径方向幅との好ましい比率は、１／５〜１／３である。
【００６６】
平坦な肩部１２２はまた、好都合には、ベベル部１２１と関連して、歯科インプラントに重なり合う２次部品のためのセンタリングプラットフォームを提供する。こうした重なり合う２次部品は、上述したように、歯科クラウンを含む単一の歯を支持するため、または、歯科ブリッジを支持するために構成されたアバットメントを備えてもよい。
【００６７】
更に好ましいオプションによれば、ベベル部１２１の下方に円滑セクション１２は、歯科インプラント１のオッセオインテグレーションを改善するために、必要に応じて、機械加工してもよく、酸でエッチングしてもよく、及び／又は、マイクロ溝を設けてもよい。
【００６８】
歯科インプラント１のねじ領域１４は、好ましくは、その全長に沿って配置された少なくとも２つの溝(flute)１４１が設けられる。国際特許出願第２０１５／１１８５４３Ａ１号（Fromovich:本発明の発明者）に詳細に開示されているように、歯科インプラントが、例えば、歯科ハンドピースの形態である歯科インプラント操作ツールを用いて、時計回りおよび反時計回りの両方に回転する場合、溝１４１は、好ましくは骨を粉砕し、骨を収集し、骨を凝縮し、骨を分散させるように構成される。歯科インプラント１のねじ領域１４のねじは、参照符号１４２で示しており、好ましくはヘリカル形状を有する。
【００６９】
図２と図２Ａは、歯科インプラント１の歯冠端部から根尖側に延びる安定化セクション１６（前記歯冠端部は、肩部１２２（もし存在すれば）またはベベル部１２１によって画定される）と、安定化セクション１６の根尖端部から根尖側に延びる駆動割出しセクション１７と、駆動割出しセクション１７の根尖端部から根尖側に延びる根尖雌ねじセクション１８とを含む歯科インプラント１の内部ブラインド穴を示す。
【００７０】
安定化セクション１６は、歯科インプラント１の歯冠端部を画定する肩部１２２から延び、あるいは、もし肩部１２２が省略されていればベベル部１２１から延びる。肩部１２２は、説明したように、好ましくは略平坦であり、歯科インプラント１の軸Ａに垂直な面上に位置する。それ以外では、図２および図２Ａに示す実施形態の変形例に従って、肩部１２２は、歯科インプラント１上に配置される２次部品（例えば、アバットメント）の形状に一致するように、歯科インプラント１の軸Ａに垂直な面に対して傾斜を有してもよい。肩部１２２はさらに、好ましくは、歯科インプラント１のブラインド穴全体の周りに延びており、その周りに一定の幅を有する。
【００７１】
本発明の安定化セクション１６は、歯科インプラントと２次部品との間の極めて安定した接続を提供することを意図している。同時に、安定化セクション１６は、歯科インプラント１の内部ブラインド穴に受容される２次部品の相補的形状セクションとの良好なシーリングを提供することを意図している。さらに、２次部品が歯科インプラント１の内部ブラインド穴に挿入された場合、安定化セクション１６は、２次部品の相補的形状セクションとのセルフロッキング（自動ロック）機能を提供する。
【００７２】
図４を参照して、安定化セクション１６は、歯冠方向に広がる円錐台であって、歯科インプラントの軸に対して５度〜７．９度、より好ましくは５度〜７．７度、さらにより好ましくは５度〜７度、最も好ましくは７度の角度を備えた歯冠開口を有する円錐台として成形される。本願の発明者は、一般には安定化セクション１６の上記開口範囲および７度の好ましい値が、特に、歯科インプラントと２次部品との間の最適なシーリングと組み合わせて、歯科インプラントと２次部品との間の極めて安定した接続を提供し、そして歯科インプラントの内部ブラインド穴内の２次部品の最適なセルフロッキング効果を提供する。
【００７３】
さらに図２、図２Ａ、図３、図３Ａ、図３Ｂおよび図４を参照して、歯科インプラント１の駆動割出しセクション１７についてより詳細に説明する。
【００７４】
特に、本発明によれば、歯科インプラント１の駆動割出しセクション１７には、駆動割出しセクション１７の軸方向延長部全体に実質的に沿って延びる凹形状を有する複数の接続ローブ(lobe)１７１が設けられる。好ましくは、接続ローブ１７１は、歯科インプラント１の軸Ａに平行な側面領域を備えた個々の円筒の一部である。さらに好ましくは、接続ローブ１７１を画定する円筒部分は、半円筒として具現化してもよい。
【００７５】
図２、図２Ａ、図３、図３Ａ、図３Ｂおよび図４に示す特定の実施形態において、接続ローブ１７１の数は６に等しいが、接続ローブ１７１の数は、歯科インプラントでの２次部品の割出しセクション分の数に従って、そして歯科インプラントを患者の顎骨に回転して設置し、さらに必要に応じて歯科インプラントも取り外すのに充分なトルクカップリングを提供するために変更できることを当業者は理解するであろう。実際、当業者に理解されるように、接続ローブ１７１の数が多いほど、歯科インプラント上の２次部品のより正確な割出しまたは回転位置決めが可能になる。そうではあるが接続ローブ１７１の数がさらに多くなると、機械的安定性が低下し、こうして歯科インプラントの設置または取り外しのためのより高いトルクに耐える能力が低下する。さらに、より大きい数の接続ローブ１７１の設置により、歯科インプラントの製造プロセス、および本質的には、歯科インプラント１の駆動割出しセクション１７に対して相補的な割出しセクションを設ける必要がある２次部品及び／又は挿入ツールの製造プロセスにより大きな負担をかける。明らかに、上述したように、歯科インプラント１の安定化セクション１６も、後述するように、２次部品及び／又は挿入ツールの対応するセクションに対して相補的に成形する必要がある。
【００７６】
本願の発明者は、図２、図２Ａ、図３、図３Ａ、図３Ｂおよび図４に示すように、割出し、機械的安定性、トルク抵抗および製造の複雑さに関連した制約条件を最善にバランスさせるために、６つの接続ローブ１７１という数が好ましいことを見出した。特に、トルク抵抗および機械的安定性は、適切なツールを用いた下地骨に対する歯科インプラントの挿入または取り外しプロセス中に関連する問題である。こうした適切なツールおよび歯科インプラントとの相互作用については後述する。そうではあるが、当業者に理解されるように、機械的安定性はまた、骨への挿入後の歯科インプラントの使用全体中の問題でもある。
【００７７】
特に図２Ａ、図３、図３Ａおよび図３Ｂを参照して、接続ローブ１７１は、参照番号１７２で全体に示される個々のローブ連結領域によって相互接続されることが判る。ローブ連結領域１７２の各々は、接続ローブ１７１と同じ軸方向延長部を有する。そうではあるが、図２Ａ、図３、図３Ａおよび図３Ｂに示すような好ましい変形例によれば、ローブ連結領域１７２の根尖部分１７３は、段差状の構成を有する。
【００７８】
接続ローブ１７１の数が６に等しい実施形態において、ローブ連結領域１７２の根尖部分１７３の数（明らかにローブ連結領域１７２の数）も６に等しい。明らかに、ローブ連結領域１７２が接続ローブ１７１の間に挿入されると、これらの個々の数は等しくなる。
【００７９】
段差状の構成を備えた実施形態において、ローブ連結領域１７２の根尖部分１７３の個々の側面（符号１７３１で示す）は、歯科インプラント１の軸Ａと一致する軸を有する側円筒面の一部である。そうではあるが、前述の変形例によれば、ローブ連結領域１７２の根尖部分１７３の個々の側面１７３１は、歯科インプラント１の軸Ａと一致する軸を有する円錐台の一部でもよい。ローブ連結領域１７２の根尖部分１７３の側面１７３１の各々には、歯科インプラント１の軸Ａに向かって半径方向に延びる個々のレッジ(ledge)（参照番号１７３２で示す）を設けてもよい。レッジ１７３２は、歯科インプラント１の軸Ａに略垂直である半径方向に延びてもよく、またはそれに対して傾斜を有してもよく、後述するように、歯科インプラントの内部ブラインド穴に挿入されると、２次部品または挿入ツールのための更なるセンタリング機能を提供する。
【００８０】
ローブ連結領域１７２の全ての根尖部分１７３は、等しい軸方向延長部を有し、個々のレッジ１７３２に関連する側面１７３１によって画定される段差状構成は、好都合には、２次部品または挿入ツールが歯科インプラント１に接続される場合、２次部品または挿入ツールを案内する機能を提供する。案内機能は、２次部品または挿入ツールがクリックイン(click-in)接続を用いて歯科インプラント１に接続されることが特に好都合である。また、この文脈において、レッジ１７３２が、歯科インプラント１の軸Ａに垂直な面と比べて根尖方向に傾斜し、クリックイン接続のため、または、クリックイン構造がない場合は一般の接続のためにスライド面が設けられることが特に好都合である。例えば、好都合には、歯科インプラント１の軸Ａに垂直な平面に対する傾斜は、３０度未満、より好ましくは２０度未満、最も好ましくは１０度未満でもよい。
【００８１】
しかしながら、本発明の主な目的は、高い機械的安定性、高いトルク抵抗のため、および後述する他の理由のために、ローブ連結領域１７２の軸方向延長部を可能な限り大きく維持することであり、このために段差状構成を備えた（もし存在すれば）個々の根尖部分１７３は、可能な限り短く維持すべきであることに留意すべきである。従って、根尖部分１７３の軸方向延長部とローブ連結領域１７２の軸方向延長部全体との比率は、１／２０〜１／４、より好ましくは１／１０〜１／５、最も好ましくは１／８〜１／５であことが好ましい。
【００８２】
ローブ連結領域１７２の各々は、本発明によれば、一般に、凹形状を有する中央セクションをさらに含む凸形状を備えるように成形される。こうした、例えば、図３の上面図で明らかなように、接続ローブ１７１およびローブ連結領域１７２によって画定される全体的な外形は、トルクス(torx)（登録商標）スクリューの外形に類似しているが、ローブ連結領域１７２での特定の外形に起因して修正されている。ローブ連結領域７２および接続ローブ１７１の全体的な外形はまた、下記説明において「修正トルクス」として示している。
【００８３】
図２Ａ、図３Ａおよび図３Ｂにおいて、ローブ連結領域１７２の凹部は、参照番号１７５で示され、ローブ連結領域の近接する２つの凸部は参照番号１７４で示される。一般に、ローブ連結領域１７２のセクションの側面領域は、個々の円筒の一部であり、接続ローブ１７１の側面領域と同様に、歯科インプラント１の軸Ａに平行に延びている。
【００８４】
本発明に係る歯科インプラントのローブ連結領域１７２の形状を用いて、２次部品または挿入ツールとのより大きな接触面が提供され、ローブ連結領域１７２は、２次部品（例えば、アバットメント）及び／又は挿入ツールとの特に安定した機械的接続を達成でき、同時に、駆動割出しセクション１７は、患者の骨への歯科インプラントの挿入の際および歯科インプラントの使用の際に損傷することなく高いトルクに耐えることができる。さらに、本発明に係る歯科インプラントのローブ連結領域１７２の形状は、歯科インプラントと２次部品との接続の回転安定性を改善する。さらに、歯科インプラントと２次部品との間のより良好なシーリングが達成され、こうしたシーリングは、歯科インプラントの内部ブラインド穴によって画定される空洞への望ましくない材料または液体の浸入を回避する。歯科インプラントと２次部品との間の接続の機械的強度および密閉性(tightness)は、本発明に係るローブ連結領域１７２と接続ローブ１７１の組合せによってさらに改善される。同じことが、本発明に係る駆動割出しセクション１７のトルク抵抗および回転安定性に適用される。
【００８５】
好都合には、駆動割出しセクション１７を形成する接続ローブ１７１およびローブ連結領域１７２の組み合された軸方向延長部は、歯科インプラント１の安定化部１６の軸方向延長部部よりも大きい。実際、本願の発明者は、好ましくは、割出しセクション１７の軸方向長さと安定化セクション１６の軸方向延長部との比率は、２／１．８〜２／１、より好ましくは２／１．６〜２／１．２、最も好ましくは２／１．５〜２／１．３であることを見出した。
【００８６】
安定化セクション１６のより短い軸方向延長部は、説明したように、安定化セクション１６の円錐台形状から生じるテーパーに起因する、歯科インプラントの歯冠端部におけるそれの絶対的な狭窄を低減する。従って、安定化セクション１６の歯冠端部は、充分な材料強度を有する。こうした材料強度は、歯科インプラント１の製造を容易にし、また、２次部品が安定化セクション１６の歯冠開口に挿入される場合にそのより良好な機械的安定性をも提供する。
【００８７】
他方、駆動割出しセクション１７のより大きな軸方向延長部（２次部品の対応するセクションの合致する軸方向延長部と組み合わせて）は、２次部品のより安定した保持を提供する（「チューブインチューブ」」効果）。「チューブインチューブ」効果は、ローブ連結領域１７２に設けられた追加の凹面によってさらに改善される。また、１つの接続ローブ１７１と１つのローブ連結領域１７２によって画定される１つのセクションでの接触面の配列（凹面（１７１）、凸面（１７４）、凹面（１７５）そして再び凸面（１７４））によって、「チューブインチューブ」効果が増幅される。このことは、２次部品または挿入ツールとの接続、そして、実際は上記凹／凸シーケンスに対して相補的な接続外形を有する他のタイプの重なり合いエレメントとの接続に当てはまる。
【００８８】
さらに、歯科インプラント１の駆動割出し領域１７のローブ連結領域１７２の特定の形状または外形に関連して説明したラインに沿って、２次部品または挿入ツールとのより大きな接触面が利用可能になり、こうした接触面は、駆動割出しセクション１７の軸方向延長部によってさらに増加する。
【００８９】
図３Ｂに示す図３Ａの変形例において、ローブ連結領域１７２の凹部１７５は、歯科インプラント１の軸Ａから半径方向に見られるように、図３Ａと比べてより大きな延長部を有してもよく、ローブ連結領域１７２の近接する凸部１７４はそれに応じて短縮されている。
【００９０】
好都合には、本発明の全ての実施形態において、ローブ連結領域１７２の凹部１７５は、歯科インプラント１の軸Ａを中心として真直ぐな円筒の側面に沿って延びており、円筒は図３Ｂに点線Ｃで示される。
【００９１】
代替として、本発明によれば、ローブ連結領域１７２の凹部１７５は、より増強された凹面を有してもよく、そのため、これらは歯科インプラント１の軸Ａを中心として真直ぐな円筒の側面を超えて外向きに延びている。図示した実施形態において、ローブ連結領域１７２の凹部１７５は、同じ凹面を有するが、ローブ連結領域１７２の凹部１７５は、異なる凹面を有し、歯科インプラント内に異なる程度まで延びることも想定できる。このことは接続ローブ１７１についても当てはまる。
【００９２】
そうではあるが、全ての実施形態において、ローブ連結領域１７２の凸部１７４は、短縮された場合でも依然として存在する。
【００９３】
図２Ａに示すように、アンダーカット(undercut)１７６が、駆動割出しセクション１７の根尖端部に設けられる。より正確には、アンダーカット１７６は、ローブ連結領域１７２の根尖部分のレッジ１７３２の下方で、歯科インプラント１の内部ブラインド穴の根尖雌ねじセクション１８１の歯冠プラットフォームまで根尖側に延びている。歯冠プラットフォーム１８１は、好ましくは、歯科インプラント１の軸Ａに垂直な面上に延びる。駆動割出しセクション１７の接続ローブ１７１において、アンダーカット１７６は、凹形状、好ましくは、接続ローブ１７１の半円筒形状の点で縮小した延長部を有する。アンダーカット１７６は、後述するようにクリックイン接続を用いて、上述したように、２次部品または挿入ツールの接続を意図している。
【００９４】
本発明の更なる好都合な態様によれば、安定化セクション１６の根尖端部に近接する駆動割出しセクション１７の歯冠端部において、図２Ａ、図３Ａおよび図３に示すように、略円形のプラットフォーム１７７が、修正トルクス外形を形成するローブ連結領域１７２の非除去材料によって形成される。この略円形のプラットフォーム１７７は、Ｏリングを保持及び／又は支持するために好都合に使用でき、その機能については後述する。
【００９５】
図２を再び参照して、根尖雌ねじセクション１８は、歯冠プラットフォーム１８１から根尖方向に延びる雌ねじ１８２と、さらに根尖側に、ねじが切られていない、好ましくは円錐形状を有する根尖端部１８３とをさらに含む。雌ねじ１８２は、該技術分野で周知のように、歯科インプラント１上で２次部品を所定位置に保持するための接続スクリューまたは固定スクリューとのねじ係合を意図している。根尖雌ねじセクション１８の雌ねじ１８２および根尖端部１８３の両方とも従来設計のものであり（よって当業者に周知）、従ってその詳細な説明は省略する。
【００９６】
図５Ａ、図５Ｂ、図５Ｄおよび図５Ｅを参照して、２次部品２が搭載された歯科インプラント１が示される。歯科インプラント１に関する限り、その構造は、図１〜図４の歯科インプラントの構造と同じであり、従って、これ以上の詳細な説明は省略する。
【００９７】
図示した２次部品２は、アバットメントとして、特に単一の交換歯または歯科ブリッジを支持するためのアバットメントとして具現化されており、歯冠セクション２１を含み、さらに根尖側に安定化セクション２２および割出しセクション２３が続く。
【００９８】
２次部品２は、２次部品２の軸方向延長部全体に沿って延びる、好ましくは、図５Ｂおよび図５Ｅに示すように、２次部品２が歯科インプラント１と組み立てられた場合、歯科インプラント１の軸Ａの２次部品２の軸Ａの周りの円対称方式（即ち、真直ぐな円筒の形状）で延びる中央貫通穴２１１を含む。そうではあるが、該技術分野で周知のように、２次部品２の中央貫通穴２１１は、軸Ａに対して傾斜するような他の構成を有してもよく、及び／又は、軸Ａに垂直な面に沿って断面が楕円形など、他の形状を有してもよい。
【００９９】
２次部品２の歯冠セクション２１はさらに、必要に応じて、本願の図面には示していない歯科クラウンまたは歯科ブリッジのような歯科補綴物を回転式に位置決めするための手段２１２を含む。該技術分野で知られているように、こうした手段２１２は、２次部品２の歯冠セクション２１上の歯科クラウンまたは歯科ブリッジのような歯科補綴物のセメント接着を容易にするように構成してもよい。
【０１００】
さらに、２次部品２の歯冠セクション２１はまた、歯科クラウンまたは歯科ブリッジなどの歯科補綴物の配置のために、参照符号２１３で示される支持レッジを含む。支持レッジ２１３は、図５Ａおよび図５Ｂに示すように、２次部品２の挿入状態において歯科インプラント１の軸Ａと一致する２次部品の軸Ａに沿って円形延長部を有してもよく、好ましくは、一定の半径方向幅を有する。そうではあるが、当業者は、支持レッジ２１３の幅および形状が、２次部品の歯冠セクション２１に配置される歯科クラウンなどの歯科補綴物の形状および延長部に適合するように変更できることを理解するであろう。また、支持レッジ２１３の幅および形状は、歯科補綴物または歯科ブリッジとの良好なシーリングを確保するように構成され、これは、２次エレメントと歯科補綴物または歯科ブリッジとの間の隙間への液体の浸入を回避するために不可欠である。
【０１０１】
図５Ｂをさらに参照して、２次部品２の安定化セクション２２は、その根尖部分において（参照符号２２２で示す）、歯科インプラント１の安定化セクション１６に対して正確に相補的であるように成形される。従って、２次部品２の安定化セクション２２の少なくとも根尖部分２２２は、２次部品２の歯冠方向に広がる円錐台として成形され、２次部品２（または２次部品２が挿入された場合は歯科インプラント１）の軸Ａに対して５度〜７．９度、より好ましくは５度から７．７度、さらにより好ましくは５度から７度、最も好ましくは７度のフレア角を有する。明らかに、歯科インプラント１の安定化セクション１６に対する２次部品２の安定化セクション２２の根尖部分２２２の形状の正確な相補性は、歯科インプラント１へ２次部品２の完全挿入状態に対応して、少なくとも軸方向延長部に沿って維持される必要がある。従って、本発明は、歯科インプラント１と２次部品２との間の最適なシーリングと組み合わせて、歯科インプラント１と２次部品２との間の極めて安定した接続、そして歯科インプラント１上の２次部品２のセルフロッキング効果を提供する。
【０１０２】
安定化セクション２２の歯冠部分２２１は、根尖部分２２２の円錐台と比べて外向きに延びてもよく、例えば、より大きな半径方向延長部を備えた支持レッジ２１３の形成が可能になり、このことは歯科補綴物の支持機能および安定性にとって有益である。さらに、前述のように、支持レッジ２１３のより大きな半径方向延長部により、歯科補綴物を用いたシーリングが改善できる。
【０１０３】
安定化セクション２２の根尖端部において、参照符号２２４で示すＯリングが好都合に設けてもよい。Ｏリング２２４は、図５Ｂおよび図５Ｃに示すように、駆動割出しセクション１７の歯冠端部においてプラットフォーム１７７上に配置してもよく、２次部品２の安定化セクション２２と歯科インプラント１との間のシーリングをさらに改善する機能を有する。図示した位置の代替または追加として、Ｏリングがまた、歯科インプラント１の安定化セクション１６において、または２次部品２の安定化セクション２２において、さらに歯冠側に配置できる。２次部品２の安定化セクション２２に配置されたＯリングの代替例は、図５Ｂにおいて参照符号２２５で示される。
【０１０４】
Ｏリング２２４は、従来の設計を有し、好ましくは、チタン、チタン合金、エラストマー材料、または当業者に知られている他の種々の材料から製造される。
【０１０５】
Ｏリング２２４の好都合な機能は、細菌などを含む可能性のある流体が歯科インプラント１の内部ブラインド穴の中に浸入するのを停止することである。従って、細菌などの侵入に対する障壁(barrier)を設けることによって、Ｏリング２２４は、感染または炎症のリスクを最小化する。代替として、図６Ａに示していない実施形態において、安定化セクション２２の根尖部分と安定化セクション１６との間にＯリング２２４を配置できる。
【０１０６】
２次部品２の割出しセクション２３は、歯科インプラント１の内部ブラインド穴の駆動割出しセクション１７のローブと正確に合致するローブを備えた軸方向プロファイルを有する。特に図６Ａおよび図６Ｂに示すように、２次部品２の割出しセクション２３には、凸形状（歯科インプラント１の駆動割出しセクション１７の接続ローブ１７１の凹形状と相補的である）を有し、そして２次部品２の割出しセクション２３の軸方向延長部全体に実質的に沿って延びている複数の接続ローブ２７１が設けられる。この延長部は、歯科インプラント１の内部ブラインド穴の駆動割出しセクション１７の接続ローブ１７１の延長部に対応する。好ましくは、接続ローブ２７１は、２次部品２の軸Ａ（または２次部品２が歯科インプラント１に挿入された場合は歯科インプラント１の軸Ａ）に対して平行な側面領域を備えた個々の円筒の一部である。さらに、好ましくは、接続ローブ２７１を画定する円筒部分は、半円筒として具現化してもよい。
【０１０７】
図６Ａおよび図６Ｂに示す特定の実施形態において、接続ローブ２７１の数は６に等しいが、当業者は、接続ローブ２７１の数は、歯科インプラント１上の２次部品２の割出し位置の数に従って変更できることは理解するであろう。実際、当業者に理解されるように、接続ローブ１７１の数が多いほど、歯科インプラント上の２次部品のより正確な割出しまたは回転位置決めが可能になる。そうではあるがより大きい数の接続ローブ１７１の設置により、２次部品２の製造プロセスにより大きな負担をかける。本願の発明者は、歯科インプラントの内部ブラインド穴の駆動割出しセクション１７に関連して説明したように、例えば、図６Ｂに示すように、６つの接続ローブ２７１という数は、２次部品２の割出しセクション２３の割出し、機械的安定性、トルク抵抗、製造の複雑さに関する（そしてまた明らかに、歯科インプラント１の相補的に考案された駆動割出しセクション１７に関する）制約条件を最善にバランスさせるため、好ましいということを見出した。
【０１０８】
特に図６Ａおよび図６Ｂを参照して、２次部品２の割出しセクション２３の接続ローブ２７１は、参照符号２７２で全体に示す個々のローブ連結領域によって相互接続されていることが判る。ローブ連結領域２７２の各々は、接続ローブ２７１と同じ軸方向延長部を有する。
【０１０９】
接続ローブ２７１の数が６に等しい２次部品２の割出しセクション２３の実施形態において、介在するローブ連結領域２７２の数も６に等しい。
【０１１０】
図６Ａおよび図６Ｂに示していない好ましい変形例において、各ローブ連結領域２７２の根尖部分は、歯科インプラント１の駆動割出しセクション１７のローブ連結領域１７２の個々の根尖部分１７３の段差状の構成に適合する個々の切り欠き(cutout)を含んでもよい。従って、各切り欠きの形状は、好ましくは逆段差状である。後者の好ましい変形例において、ローブ連結領域２７２の根尖部分の数も６であり、割出しセクション２３でのローブ連結領域２７２の数（および接続ローブ２７１の数）と一致するようにしている。
【０１１１】
割出しセクション２３のローブ連結領域２７２に切り欠きを備えた実施形態において、根尖部分の個々の側面は、２次部品２の軸Ａまたは、２次部品２が歯科インプラント１に挿入された場合は歯科インプラント１の軸Ａと一致する軸を有する側円筒面の一部である。そうではあるが、上記の変形例によれば、根尖部分の個々の側面は、２次部品２の軸Ａ（または２次部品２が歯科インプラント１に挿入された場合は歯科インプラント１の軸Ａ）と一致する軸を有する円錐台の一部でもよい。２次部品２の割出しセクション２３のローブ連結領域２７２の根尖部分の切り欠きの各々は、歯科インプラント１の駆動割出しセクション１７の個々のレッジ１７３２を受けるために、２次部品２の軸Ａに向かって半径方向に延びている。切り欠きは、２次部品２の軸Ａ（または２次部品２が歯科インプラント１に挿入された場合は歯科インプラント１の軸Ａ）に対して略垂直な半径方向に延びてもよく、あるいは、歯科インプラント１の駆動割出しセクション１７の個々のレッジ１７３２の形態に一致するために、それに対して傾斜を有する。
【０１１２】
一般に、図６Ａおよび図６Ｂに示すように、接続ローブ２７１および２次部品２のローブ連結領域２７２の軸方向延長部は等しい。これは、段差状の根尖部分１７３を備えた歯科インプラント１の実施形態において、２次部品２の接続ローブ２７１およびローブ連結領域２７２の軸方向延長部は、歯科インプラント１の段差状の根尖部分１７３まで、歯科インプラント１のローブ連結領域２７２の軸方向延長部に一致するように短縮されることを意味する。そうでなければ、もし段差状の根尖部分１７３が歯科インプラント１に無い場合、２次部品２の接続ローブ２７１およびローブ連結領域２７２の軸方向延長部２７１は、歯科インプラント１の接続ローブ１７１およびローブ連結領域１７２の軸方向延長部に等しくてもよい。そうではあるが、段差状の根尖部分１７３が歯科インプラント１に無い場合でも、２次部品２の接続ローブ２７１およびローブ連結領域２７２の軸方向延長部は、歯科インプラント１と２次部品２との間の接続の安定性を依然として確保する程度まで、歯科インプラント１の接続ローブ１７１およびローブ連結領域１の軸方向延長部よりも短くてもよい。
【０１１３】
２次部品２の割出しセクション２３のローブ連結領域２７２の根尖部分に切り欠きを含む２次部品２の実施形態において、歯科インプラント１の駆動割出しセクション１７の接続ローブ１７１の軸方向延長部および、２次部品２の割出しセクション２３の接続ローブ２７１の軸方向延長部は等しくてもよい。換言すると、この場合、歯科インプラント１の駆動割出しセクション１７の軸方向延長部は、２次部品２の割出しセクション２３の軸方向延長部に等しくてもよい。
【０１１４】
そうではあるが、上記の全ての実施形態において、個々の軸方向延長部に関係なく、歯科インプラント１の安定化セクション１６と２次部品２の安定化セクション２２との間の密閉シーリングは維持する必要がある。
【０１１５】
歯科インプラント１の段差状の根尖部分１７３と協働する２次部品２の割出しセクション２３のローブ連結領域２７２に切り欠きを含む実施形態は、それが歯科インプラント１に接続された場合、２次部品２を案内する機能を好都合に提供する。この案内機能は、クリックイン接続の場合に特に好都合である。この文脈において、２次部品２（または２次部品２の挿入状態では歯科インプラント１）の軸Ａに垂直な面と比べて、切り欠きが根尖方向に傾斜している場合も特に好都合であり、そのためクリックイン接続またはクリックイン機構がない場合には一般的な接続のためにスライド面が設けられる。例えば、好都合には、２次部品２（または２次部品２の挿入状態では歯科インプラント１）の軸Ａに垂直な面に対する傾斜は、３０度未満、より好ましくは２０度未満、最も好ましくは１０度未満でもよい。
【０１１６】
図６Ａおよび図６Ｂに示すように、２次部品２の割出しセクション２３のローブ連結領域２７２の各々は、本発明によれば、一般に、凸形状を有する中央セクションをさらに含む凹形状で形成される。従って、明らかなように、２次部品２の割出しセクション部２３の接続ローブ２７１およびローブ連結領域２７２によって画定される全体的な外形は、図１〜図４の歯科インプラント１に関連して説明した「修正トルクス」を有する。
【０１１７】
図６Ａおよび図６Ｂにおいて、２次部品２の割出しセクション２３のローブ連結領域２７２の凸部は参照符号２７５で示し、２次部品２の割出しセクション２３のローブ連結領域２７２の近接する２つの凹部は参照符号２７４で示す。２次部品２の割出しセクション２３のローブ連結領域２７２の凸部および凹部の外形および延長部は、歯科インプラント１のローブ連結領域１７２の対応するセクションの外形および延長部に正確に追従する。
【０１１８】
一般に、２次部品２の割出しセクション２３のローブ連結領域２７２のセクションの側面領域も、個々の円筒の一部であり、２次部品２の割出しセクション２３の接続ローブ２７１の側面領域と同様に、２次部品２の軸Ａまたは、２次部品２が歯科インプラント１に挿入された場合は歯科インプラント１の軸Ａに対して平行に延びている。
【０１１９】
それ以外では、２次部品２の割出しセクション２３の接続ローブ２７１およびローブ連結領域２７２に関して、挿入ツールとの相互作用に関連して説明した利点を除いて、歯科インプラント１の駆動割出しセクション１７の接続ローブ１７１およびローブ連結領域１７２に関連して説明したものと同じ利点および構造上の詳細が適用可能である。
【０１２０】
図５Ｂ、図５Ｃおよび図５Ｅを再び参照して、２次部品２は、参照符号３で示される接続スクリューまたは固定スクリューを用いて歯科インプラント１に固定されることが判る。接続スクリュー３は、既知の方法で歯科インプラント１の根尖雌ねじセクション１８の雌ねじ１８２と相互作用し、ねじ込み状態で２次部品２の円錐台状内部セクション２４と係合するように寸法設定された拡大頭部３１を有する。接続スクリュー３の拡大頭部３１には、レンチ係合手段３２（例えば、内部六角、内部四角、または他の駆動面として具現化される）を備え、レンチ係合手段３２は、接続スクリュー３を歯科インプラント１に螺合して固定するための挿入ツールまたはレンチ（不図示）と相互作用でき、第２部分２は歯科インプラント１の内部ブラインド穴に堅く保持される。レンチ係合手段３２は、挿入ツールまたはレンチ（不図示）が、その長手方向軸に沿って、あるいは接続スクリュー３の長手方向軸と比べて０度から２５度までの角度で傾斜した状態で接続スクリュー３と係合できるように設計される。この固定状態で、２次部品２の割出しセクション２３は、歯科インプラント１の対応する駆動割出しセクション１７に完全に挿入される。同時に固定状態で、２次部品２の安定化セクション２２は、歯科インプラント１の安定化セクション１６に密接に嵌合して、２次部品２と歯科インプラント１との間の接続を封止する。さらに、補助Ｏリング（図５Ｂでは不図示）を接続スクリュー３に装着して、２次部品２を封止してもよい。こうして細菌などの侵入に対する障壁を提供することによって、補助Ｏリングは、感染及び／又は症のリスクを最小化する。
【０１２１】
図７Ａ〜図７Ｄを参照して、２次部品２’が搭載された歯科インプラント１’が示されており、歯科インプラント  １’および２次部品２’の両方は、詳細に後述するように、図１〜図６Ｂのインプラントおよび２次部品とは相違する。この２次部品２’はまた、好都合には、アバットメントとして、特に、単一の交換歯または歯科ブリッジを支持するためのアバットメントとして具体化される。
【０１２２】
歯科インプラント１’に関する限り、その構造は、溝１４１’を除いて図１〜図５Ｅの歯科インプラントと同じであり、その数は３に等しい。従って、歯科インプラント１’の更なる詳細な説明は省略しており、同一の重複する構成については図１〜図５Ｅと同じ参照符号が使用される。増加した数の溝は、患者の骨への歯科インプラント１’の挿入を容易にし、追加の溝は、歯科インプラントの骨組織への挿入の際に切断された骨材料を排出する追加の経路を提供するためである。
【０１２３】
ここで図７Ａ〜図７Ｄの２次部品２’を参照して、こうした変更された２次部品２’は、臼歯の単一クラウン修復のために使用でき、図５Ａ〜図５Ｅおよび図６Ａ〜図６Ｂの２次部品に類似した方法で、歯冠セクション２１と、さらに根尖側に続いて安定化セクション２および割出しセクション２３とを含む。
【０１２４】
それ以外は、図７Ａ〜図７Ｅの２次部分２’は、後述する相違点を除いて、図５Ａ〜図５Ｅおよび図６Ａ〜図６Ｂの２次部品と同一である。従って、図５Ａ〜図５Ｅおよび図６Ａ〜図６Ｂの２次部品２の構成と同一である図７Ａ〜図７Ｄの２次部品２’の構成の更なる詳細な説明は省略し、同一の参照符号は、前記同一の構成を示すために使用される。
【０１２５】
図７Ａ〜図７Ｄの実施形態の２次部品２’の支持レッジ２１３’は、図５Ａ〜図５Ｅおよび図６の実施形態の２次部品２の支持レッジ２１３よりも幅広である。図７Ａ〜図７Ｄの実施形態においても、レッジ２１３’は、その上に、歯科補綴物、例えば、歯科インプラントまたは歯科クラウンを配置するためを意図している。支持レッジ２１３’は、図７Ａ〜図７Ｄに示すように、２次部品２’（または２次部品が挿入された場合は歯科インプラント）の軸Ａに沿った円形延長部を有してもよく、好ましくは一定の半径方向幅を有する。そうではあるが、当業者は、支持レッジ２１３’の幅および形状が、図１〜図５Ｅの実施形態に関連した説明した基準と一致するように２次部品２’の歯冠セクション２１上に配置される歯科補綴物、例えば、歯科クラウンなどの形状および延長部に適合するように変更できることは理解するであろう。
【０１２６】
さらに図７Ｂを参照して、２次部品２’の安定化セクション２２は、図５Ａ〜図５Ｅおよび図６Ａ〜図６Ｂに関連して説明した根尖部分２２２と同じ形状を有する根尖部分２２２を含む。しかしながら、２次部品２’の安定化セクション２２の歯冠部分２２１’は、図５Ａ〜図５Ｅおよび図６Ａ〜図６Ｂの２次部品２の安定化セクション２２の歯冠部分２２１と比べてより幅広の構成を有し、より幅広の支持レッジ２１３’を画定する。
【０１２７】
さらに、図７Ｂに示すように、２次部品２’の安定化セクション２２の歯冠部分２２１’と２次部品２’の安定化セクション２２の根尖部分２２２との間の界面には、ベベル面２２３が画定され、これは、歯科インプラント１の歯冠セクション１１の円滑セクション１２のベベル部分１２１の外形に追従する略円錐台の外形を有する。２次部品２’の安定化セクション２２のベベル面２２３は、好都合には歯科インプラント（合致する構成を有する）と重り合う２次部品との間のより安定した接続を提供する。さらに、傾斜面２２３はまた、歯科インプラントと重り合う２次部品との間のより良好なシーリングを提供する。
【０１２８】
歯科インプラント１のベベル部１２１に関して説明したように、２次部品２’のベベル面２２３は、２次部品２’の軸Ａ（または２次部品２’が歯科インプラント１’に挿入された場合は歯科インプラント１’の軸Ａ）に垂直な面に対して１７〜２７度の角度、より好ましくは２０〜２４度の角度、最も好ましくは２２．５度の角度を有する。歯科インプラント１のベベル部１２１の合致する傾斜角と関連して２次部品２’のベベル面２２３の後者の最も好ましい傾斜角は、歯科インプラントが、例えば、アバットメントとして具現化できる重り合う２次部品と接続された場合、機械的安定性およびシーリングの点で特に好都合である。
【０１２９】
追加のＯリング（図には示していない）が、歯科インプラント１の歯冠セクション１１の円滑セクション１２のベベル部１２１と、２次部品２’の安定化セクション２２のベベル面２２３との間に設けてもよい。追加されたＯリングは、歯科インプラントと重なり合う２次部品との間のシーリングをさらに改善する。好都合には、追加のＯリングは、歯科インプラント１のベベル部１２１に近接する歯科インプラント１の平坦な肩部１２２に配置される。更なる代替例では、追加のＯリングは、歯科インプラント１の歯冠セクション１１の円滑セクション１２のベベル部に配置してもよく、それは、ベベル部１２１と、２次部品２’の安定化セクション２２のベベル面２２３との間の追加のシーリングを提供する。更なる変形例において、追加のＯリングは、２次部品２’の安定化セクション２２の歯冠部分２２１’と安定化セクション２２の根尖部分２２２との間の界面またはその近くで２次部品（アバットメント）２’に配置できる。後者の代替例は、参照符号２２５’で図７Ｂに示している。特定の実施形態において、追加のＯリングの任意の組合せを含めることができる。追加のＯリングは、従来の設計を有し、好ましくは、チタン、チタン合金、エラストマー材料または当業者に知られている他の種々の材料で製造され、そして前述のＯリング２２４に類似した機能を有する。さらに、図７Ａ〜図７Ｂの実施形態において、Ｏリング２２４は、単独または追加のＯリングとの組合せで含めることもできる。
【０１３０】
最後に、図７Ａ〜図７Ｄの実施形態を参照して、接続スクリュー３は、図５Ａ〜図５Ｅに示した接続スクリューと同じであり、従って、詳細な説明は省略する。
【０１３１】
図７Ａ〜図７Ｄの２次部品２’の斜視図を図７Ｅに示す。図７Ｅの２次部品２’は、支持レッジ２１３’および、図７Ａ〜図７Ｄに示すように具現化される安定化セクション２２の歯冠セクション２２１’を除いて、図６Ａ〜図６Ｂの２次部品２と同じである。従って、図７Ｅの２次部品２’の詳細な説明は省略する。
【０１３２】
図８Ａ〜図８Ｄは、挿入ツールが挿入された歯科インプラントを示す。挿入ツールは、該技術分野で周知のように、歯科インプラントを患者の骨の中に押し込むために使用できる。
【０１３３】
歯科インプラント１に関する限り、その構造は、図１〜図４の歯科インプラントと同じであり、従って、更なるの詳細な説明は省略する。
【０１３４】
挿入ツールは、参照符号４で示しており、シャンク部４１１を有する歯冠セクション４１を含み、これは、適切な係合エレメント４１４を用いて回転機械（不図示）に接続できる。係合エレメント４１４は、多角形、例えば、六角形の構成を含む、ツール用の回転機械または手動ドライブと係合するための任意の適切な形状を有してもよい。挿入ツール４の歯冠セクション４１はまた、図示していない手動トルク印加ツール（例えば、レンチ）と係合するように構成された手動ツール係合セクション４１２を含む。好ましくは、手動ツール係合セクション４１２は六角形であり、六角形の各側面は、手動ツールとの係合のために、好ましくは略円錐形状の複数の凹部４１３を含む。凹部４１３はさらに、骨組織への挿入の際に、歯科インプラント１の角度位置を認識するために機能である。さらに、当業者に周知である追加手段を挿入ツール４に設けてもよく、その挿入の際に骨組織内の歯科インプラント１の角度位置の認識を可能にする。
【０１３５】
挿入ツール４はさらに、歯科インプラント１の内穴との係合のための根尖セクション４２を含む。挿入ツール４の根尖セクション４２は、その歯冠から根尖端部まで、第１安定化セクション４２１と、駆動セクション４２２と、第２安定化セクション４２３とを含む。
【０１３６】
さらに図８Ｂ、図８Ｄおよび図９を参照して、挿入ツール４の根尖セクション４２の第１安定化セクション４２１は、歯科インプラント１の安定化セクション１６と正確に相補的な形状を有する。従って、挿入ツール４の根尖セクション４２の第１安定化セクション４２１は、挿入ツール４の歯冠方向に外向きに広がり、挿入ツール４の（または挿入ツール４が挿入された場合は歯科インプラント１の）軸Ａに対して５度〜７．９度のフレア角、より好ましくは５度〜７．７度、さらにより好ましくは５度〜７度、最も好ましくは７度のフレア角を有する円錐台として成形される。従って、本発明は、歯科インプラント１と挿入ツール４との間に極めて安定した接続、そして歯科インプラント１に対して挿入ツール４の最適なセルフロッキング効果を提供する。
【０１３７】
挿入ツール４の根尖部分４２の駆動セクション４２２は、歯科インプラント１の内部ブラインド穴の駆動割出しセクション１７のローブの外形に正確に合致するローブを備えた軸方向プロファイルを有する。特に、図９に示すように、挿入ツール４の根尖部分４２の駆動セクション４２２には、凸形状（歯科インプラント１の駆動割出しセクションの接続ローブ１７１の凹形状と相補的である）を有し、挿入ツール４の根尖部分４２の駆動セクション４２２の軸方向延長部全体に実質的に沿って延びる複数の接続ローブ４７１が設けられる。この延長部は、歯科インプラント１の内部ブラインド穴の駆動割出しセクション１７の接続ローブ１７１の延長部に実質的に対応する。好ましくは、挿入ツール４の駆動セクション４２２の接続ローブ４７１も、挿入ツール４の軸Ａ（または挿入ツール４が歯科インプラント１に挿入された場合は歯科インプラント１の軸Ａ）に平行である側面領域を備えた個々の円筒の一部である。さらに、好ましくは、挿入ツール４の駆動セクション４２２の接続ローブ４７１を画定する円筒部分は、半円筒として具現化してもよい。
【０１３８】
図９に示す特定の実施形態において、挿入ツール４の駆動セクション４２２の接続ローブ４７１の数は６に等しいが、当業者は、歯科インプラント１での挿入ツール４の割出しセクションの数に従って変更可能であることは理解するであろう。しかしながら、挿入ツール４でのより大きい数の接続ローブ４７１の設置は、挿入ツール４の製造プロセスにより大きな負担をかける。本願の発明者は、歯科インプラント１の内部ブラインド穴の駆動割出しセクション１７に関連して説明したように、挿入ツール４の駆動セクション４２２の機械的安定性、トルク抵抗および製造の複雑さに関連した制約条件を最善にバランスさせるために、６つの接続ローブ４７１という数が、例えば、図９の挿入ツールに関して図示したように、好ましいことを見出した（歯科インプラント１の相補的に考案した駆動割出しセクション１７に明らかに関連している）。
【０１３９】
図８Ａ〜図８Ｄに加えて図９をさらに特に参照して、挿入ツール４の駆動セクション４２２の接続ローブ４７１は、参照符号４７２で全体に示す個々のローブ連結領域によって相互接続されることが判る。駆動割出しセクション１７の場合のように、挿入ツール４の駆動セクション４２２のローブ連結領域４７２の各々は、接続ローブ４７１と同じ軸方向延長部を有する。図９に示す実施形態において、好ましくは、円形凹所(recess)４８８が接続ローブ４７１およびローブ連結領域４７２に形成される。円形凹所４８８は、挿入ツール４の軸Ａの周囲に形成され、挿入ツール４の駆動セクション４２２を歯冠部分４２２１と根尖部分４２２２に分割する。円形凹所４８８は、歯科インプラント１とより少ない力で係合するために弾性ＯリングまたはスプリットＣリング４８９（図８Ｂに示す）を収容するように構成され、そのため、挿入ツール４は、骨への挿入後に、歯科インプラント１から容易に外すことができる。他方では、弾力ＯリングまたはスプリットＣリング４８９は、歯科インプラントの対応するセクションにくさび止めすることにより、歯科インプラント１が挿入ツール４に保持され、患者の口への輸送中に落下しないような充分な係合力を提供する。弾性ＯリングまたはスプリットＣリング４８９は、従来の設計を有し、好ましくは、チタン、チタン合金、エラストマー材料、または当業者に知られている他の種々の材料で製造される。
【０１４０】
図面に示していない変形例において、挿入ツール４の駆動セクション４２２の根尖部分４２２２は、円筒形状で考案してもよい。円筒形状は、挿入ツール４上の所定位置に弾性ＯリングまたはスプリットＣリング４８９を保持するのに適切な任意の代替の幾何形状で置換してもよい。そうではあるが、挿入ツール４の駆動セクション４２２の根尖部分４２２２における接続ローブ４７１およびローブ連結領域４７２を備えた図９に示す外形は、好都合であり、その理由は、挿入ツール４の駆動セクション４２２においてより高い歯冠場所に円形凹所４８８の配置を可能にしつつ、歯科インプラント１の駆動割出しセクション１７との挿入ツール４の駆動セクション４２２の充分な係合面を保持することを可能にするためである。
【０１４１】
挿入ツール４の更なる代替の実施形態（図９にも不図示）によれば、弾性ＯリングまたはスプリットＣリングは省略され、この場合、接続ローブ４７１およびローブ連結領域４７２は、挿入ツール４の駆動セクション４２２の長手方向の延長部全体に渡って途切れることなく延びてもよい。
【０１４２】
後者の好ましい代替例（図９にも不図示）によれば、弾性ＯリングまたはスプリットＣリングが省略された場合、挿入ツール４のローブ連結領域４７２の根尖部分は、歯科インプラント１の駆動割出しセクション１７のローブ連結領域１７２の根尖部分１７３の段差状構成に適合する切り欠き(cutout)を有してもよい。各切り欠きの形状は、好ましくは逆段差状である。切り欠きを含む２次部品２の場合のように、後者の好ましい実施形態における挿入ツール４のローブ連結領域４７２の根尖部分の個々の側面は、挿入ツール４の軸Ａ、または挿入ツール４が歯科インプラント１に挿入された場合は歯科インプラント１の軸Ａと一致する軸を有する円筒側面の一部でもよい。そうではあるが、上記の変形例によれば、ローブ連結領域４７２の根尖部分の個々の側面は、挿入ツール４の軸Ａ（または挿入ツール４が歯科インプラント１に挿入された場合は歯科インプラント１の軸Ａ）と一致する軸を有する円錐台の一部でもよい。いずれの場合でも、切り欠きは、挿入ツール４の軸Ａ（または挿入ツール４が歯科インプラント１に挿入された場合は歯科インプラント１の軸Ａ）に向かう半径方向に延びている。切り欠きは、挿入ツール４の軸Ａ（または挿入ツール４が歯科インプラント１に挿入された場合は歯科インプラント１の軸Ａ）に対して略垂直な半径方向に、あるいはそれに対する傾斜とともに延びてもよく、歯科インプラント１の駆動割出しセクション１７の個々のレッジ１７３２の形態と合致するようにしてもよい。明らかにそれ以外では、上記のすべての実施形態において、挿入ツールの駆動セクションローブ連結領域の根尖部分は、歯科インプラント１の駆動割出しセクション１７のローブ連結領域１７２の根尖部分１７３の形状に対して相補的である形状を有してもよい。
【０１４３】
さらに、後者の好ましい代替形態によれば、切り欠きが設けられる場合、個々の逆段差形状の切り欠きを有する挿入ツール４の駆動セクション４２２のローブ連結領域４７２の根尖部分の各々は、好都合には、歯科インプラント１に挿入された場合に挿入ツール４を案内する機能を提供する。この案内機能は、クリックイン接続の場合に特に好都合である。この文脈において、切り欠きが、挿入ツール４（または挿入ツールの挿入状態にある歯科インプラント１）の軸Ａに垂直な面と比べて、根尖方向に傾斜しているのも特に好都合であり、そのためクリックイン接続またはクリックイン機能が無い場合には一般の接続のためのスライド面が設けられる。例えば、好都合には、挿入ツール４（または挿入ツールの挿入状態にある歯科インプラント１）の軸Ａに垂直な面に対する傾斜は、３０度未満、より好ましくは２０度未満、最も好ましくは１０度未満でもよい。
【０１４４】
挿入ツール４との歯科インプラント１とクリックイン接続は、挿入ツール４の駆動セクション４２２の根尖端部、特に根尖部分４２２２に設けられた半径方向広がりセクションを用いて実装してもよく、これは、歯科インプラント１の駆動割出しセクション１７のアンダーカット１７６に係合できる。歯科インプラント１との２次部品２のクリックイン接続は、同様の方法で実装できる。
【０１４５】
さらに、挿入ツール４の全ての実施形態に関して、下記に留意する必要がある。
【０１４６】
連結ローブ４７１の数が６に等しい駆動セクション４２２の実施形態において、ローブ連結領域４７１の根尖部分（もしあれば）の数（そして明らかにローブ連結領域４７２の数）も６に等しい。明らかに、挿入ツール４の駆動セクション４２２においても、ローブ連結領域４７２が接続ローブ４７１の間に介在しているため、これらの個々の数は等しくなる。
【０１４７】
図９に示すように、挿入ツール４の駆動セクション４２２のローブ連結領域４７２の各々は、概ね凹状に形成される。この形状は、特定の実施形態において、歯科インプラント１の駆動割出しセクション１７と協働するのに充分になるであろう。
【０１４８】
そうではあるが、図９に示していない代替例において、挿入ツール４の駆動セクション４２２のローブ連結領域４７２は、２次部品２の割出しセクション２３のローブ連結領域２７２と同様の形状でもよく、例えば、歯科インプラント１の駆動割出しセクション１７のローブ連結領域１７２の形状に正確に相補的であるように、凸形状および２つの近接する凹部を有する中央セクションを含んでもよい。
【０１４９】
後者の詳細は図９には示していないが、挿入ツール４の駆動セクション４２２の接続ローブ４７１およびローブ連結領域４７２によって画定される全体外形は、図１〜図４の歯科インプラント１と関連して説明した「修正トルクス」を有する。特に、挿入ツール４の駆動セクション４２２の各ローブ連結領域４７２は、中央凸部および２つの近接する凹部を有する。説明したように、検討中の実施形態において、挿入ツール４の駆動セクション４２２のローブ連結領域４７２の個々の凸部および凹部の外形および延長部は、歯科インプラント１のローブ連結領域１７２の対応するセクションの外形および延長部に正確に追従する。
【０１５０】
一般に、挿入ツール４の駆動セクション４２２のローブ連結領域４７２のセクションの側面領域も、個々の円筒の一部であり、２次部品２の駆動セクション４２２の接続ローブ４７１の側面領域と同様に、挿入ツールの（あるいは、挿入ツール４が歯科インプラント１に挿入された場合は歯科インプラント１の）軸Ａに対して平行に延びている。
【０１５１】
それ以外には、挿入ツール４の駆動セクション４２２の接続ローブ４７１およびローブ連結領域４７２に関して、歯科インプラントの駆動割出しセクション１７の接続ローブ１７１およびローブ連結領域１７２に関連して説明したものと同じ利点および構造上の詳細は、２次部品との相互作用を除いて適用可能である。
【０１５２】
挿入ツール４の根尖セクション４２の第２安定化セクション４２３は、図８Ｂ〜図８Ｃおよび図９に示すように、その全ての実施形態においてさらに好ましい構成であり、挿入ツール４の根尖セクション４２の駆動セクション４２２の根尖側に設けられる。歯科インプラント１の根尖雌ねじセクション１８の雌ねじ１８２の外形に密接に合致する第２安定化セクション４２３は、好都合には、歯科インプラント１と挿入ツール４との間の接続の更なる安定性を提供する。挿入ツール４の根尖セクション４２の第２安定化セクション４２３は、好ましくは、円筒形状（即ち、真直ぐな円筒の形状）を有し、第２安定化セクション４２３の軸Ａに沿った軸方向延長部は、好ましくは、歯科インプラント１の根尖雌ねじセクション１８の雌ねじ１８２の軸方向延長部の少なくとも１／３に等しく、より好ましくは、雌ねじ１８２の軸方向延長部の少なくとも１／２に等しく、最も好ましくは、雌ねじ１８２の軸方向延長部の少なくとも２／３に等しい。
【０１５３】
図１０Ａ〜図１０Ｃは、さらに異なる２次部品が搭載された図１の歯科インプラント１の図である。図１０Ａ〜図１０Ｃの２次部品は、参照符号５で示しており、歯科インプラント１の歯冠セクション１１のねじセクション１３にねじ込み可能であることを特徴とする。従って、ねじセクション１３は、図１０Ａ〜図１０Ｃの実施形態には無く、ねじ込み可能な２次部品５は、歯科インプラント１の歯冠セクション１１のねじセクション１３にねじ込み可能である雌ねじ５１を含む。図１０Ａ〜図１０Ｃのねじ込み可能な２次部品５は、一般に、例えば、臼歯の単一クラウン修復または歯科ブリッジを支持する大きなインプラントに適している。明らかに、雌ねじ５１は、軸対称であるねじ込み可能な２次部品５のあるセクションに設けられる。
【０１５４】
図１０Ａ〜図１０Ｃの歯科インプラントは、図１〜図４の歯科インプラント１と同一であり、従って、ここではこれ以上説明しない。
【０１５５】
図１０Ａ〜図１０Ｃのねじ込み可能な２次部品５の内部形状は、内部ベベル面５２を含み、好都合には、歯科インプラント１の歯冠セクション１１の円滑セクション１２のベベル部分１２１の形状に正確に追従する。特に、歯科インプラント１のベベル部分１２１に関して説明したように、ねじ込み可能な２次部品５の内側ベベル面５２は、ねじ込み可能な２次部品５の軸Ａ（またはねじ込み可能な２次部品５が歯科インプラント１に挿入された場合は歯科インプラント１の軸Ａ）に垂直な面に対して、１７〜２７度の角度、より好ましくは２０〜２４度の角度、最も好ましくは２２．５度の角度を有する。歯科インプラント１のベベル部分１２１の合致する傾斜角に関連してねじ込み可能な２次部品５の内側ベベル面５２の後者の最も好ましい傾斜角は、歯科インプラントが、例えば、アバットメントとして、特に歯科ブリッジを支持するためのアバットメントとして具現化できる重なり合うねじ込み可能な２次部品５に接続された場合、機械的安定性およびシーリングの観点から特に好都合である。後者のタイプのアバットメントの角度配向は必須ではない。
【０１５６】
それ以外には、ねじ込み可能な２次部品５は、歯冠円筒セクション５３、ベベル円錐台形状セクション５４、および根尖円筒セクション５５を含む軸対称回転体（軸Ａ周り）の形状を有する。図１０Ａ〜図１０Ｃから明らかなように、ねじ込み可能な２次部品５の歯冠円筒セクション５３は、ねじ込み可能な２次部品５の根尖円筒セクション５５よりも直径が小さく、ベベル円錐台形状セクション５４は、両者間に上部構造の並置(apposition)面を形成する。好ましくは、ベベル円錐台形状セクション５４は、２次部品５の軸Ａ（または２次部品５が歯科インプラント１上の所定位置にある場合は歯科インプラント１の軸Ａ）に垂直な面に対して１７〜２７度の角度、より好ましくは２０〜２４度の角度、最も好ましくは２２．５度の角度を形成する。こうした傾斜角は、２次部品が、歯科ブリッジなどの重畳構造に接続される場合、機械的安定性およびシーリングの点で好都合である。
【０１５７】
図１１Ａ〜図１１Ｃを参照して、本発明に係る歯科インプラントと共に使用するためのヒーリングキャップを示す。ヒーリングキャップは、参照符号６で示されており、図１〜図４において歯科インプラント１上に示される。従って、図１１Ａ〜図１１Ｃの歯科インプラント１は、ここではさらに説明しない。
【０１５８】
ヒーリングキャップ６は、全体にその長手方向軸Ａに沿って回転対称回転体として成形される。
【０１５９】
ヒーリングキャップ６は、その歯冠端部に配置された拡大頭部６２を有し、拡大頭部６２には、例えば、内部六角、内部四角または他の駆動面として具体化されるレンチ係合手段６１が設けられる。そうではあるが、好都合には、レンチ係合手段６１はまた、上述の挿入ツール４の駆動セクション４２２と相互作用するように具現化できる。
【０１６０】
ヒーリングキャップ６の拡大頭部６２は、根尖側に、歯科インプラント１の安定化セクション１６と正確に合致する安定化セクション６３が続く。ヒーリングキャップ６の安定化セクション６３は、さらに根尖側に中間セクション６４が続いており、これは、１つの好ましい実施形態では回転対称回転体として成形できる。
【０１６１】
中間セクション６４は、さらに根尖側にねじセクション６５が続いており、これは、歯科インプラント１の根尖雌ねじ部１８の雌ねじ１８２と螺合するように構成される。
【０１６２】
上記の好ましい中間セクション６４およびねじセクション６５の代替例（本願の図面には示さず）において、中間セクションは、歯科インプラント１の駆動割出しセクション１７の外形に追従する「修正」トルクス外形でも形成できる。「修正トルクス」外形を有する（よって歯科インプラント１の駆動割出しセクション１７の外形に合致する）ヒーリングキャップ６の中間セクション６４の代替例において、ねじセクションが省略され、歯科インプラントのアンダーカット１７６に着座するように配置され寸法設定された膨出(bulge)形状のエレメントで置換される。
【０１６３】
図１１Ａ〜図１１Ｃのヒーリングキャップ６内部形状は、内部ベベル面６６を含み、これは、歯科インプラント１の歯冠セクション１１の円滑セクション１２のベベル部分１２１の形状に正確に追従する。特に、歯科インプラント１のベベル部分１２１に関して説明したように、ヒーリングキャップ６の内部ベベル面６６は、ヒーリングキャップ６の長手方向軸Ａ（またはヒーリングキャップ６が歯科インプラント１に挿入された場合は歯科インプラント１の軸Ａ）に垂直な面に対して１７〜２７度、より好ましくは２０〜２４度、最も好ましくは２２．５度の角度を有する。歯科インプラント１のベベル部分１２１の合致する傾斜角と関連した、ヒーリングキャップ６の内部ベベル面６６の後者の最も好ましい傾斜角は、機械的安定性およびシーリングの点で特に好都合である。歯科インプラント１とのヒーリングキャップ６のシーリング効率は、シーリングキャップ６の安定化セクション６３の特定の角度構成によってさらに改善され、これは、上述したように、歯科インプラント１の安定化セクション１６の形状および外形に密接に合致する。
【０１６４】
さらに、本発明によれば、上述したヒーリングキャップと同様に、歯科インプラントの内部ブラインド穴への接続に関して考案されたインプレッション（印象）キャップも提供される。
【０１６５】
明らかに、本発明の範囲から逸脱することなく、いくつかの変更が当業者にとって明らかであり、当業者によって容易に行うことができる。従って、特許請求の範囲は、例の形態で説明に示された例示または好ましい実施形態によって限定されるべきではなく、むしろ請求項は、当業者によって同等物として扱われるであろう全ての特徴を含む、本発明に存在する特許可能な新規性の全ての特徴を包含すべきである。これに関して、本発明の歯科インプラントおよび２次部品は、セラミック、金属（特にチタン）およびこれらの組合せで製造できることが強調される。
【０１６６】
さらに、本発明は、歯科インプラントおよび２次エレメントの種々の組合せで説明し図示したが、当業者は、歯科インプラントの各々がここで開示する２次エレメントの各々と組み合わせできることを容易に理解するであろう。さらに、ここで図示及び／又は説明していない追加の歯科インプラントおよび２次エレメントも、ここで説明しているような安定化セクション及び／又は割出しセクション及び／又は駆動割出しセクションを有する限り、本開示の一部であると想定される。同様の検討事項は、挿入ツールの駆動セクションに本発明の「修正トルクス」構成が設けられるべきであるという仕様を備えた歯科インプラントおよび挿入ツールの組合せ（図示及び／又は説明はしていない）に適用される。
【０１６７】
任意の請求項で言及された技術的特徴に参照符号が続く場合、これらの参照符号は、請求項の理解度を高めるだけの目的のために含まれており、従って、こうした参照符号は、例として、こうした参照符号によって識別される各要素の範囲に限定的な影響を与えない。
【０１６８】
（説明で使用した参照符号のリスト）
Ａ    歯科インプラント、２次部品、挿入ツール、ねじ込み可能な２次部品およびヒーリングキャップの軸
１，１’    歯科インプラント
１１    歯科インプラントの歯冠セクション
１２    歯科インプラントの歯冠セクションの円滑セクション
１２１    円滑セクションのベベル部
１２２    歯科インプラントの歯冠端部を画定する肩部
１３    歯科インプラントの歯冠セクションのねじセクション
１４    歯科インプラントのねじ領域
１４１，１４１’    歯科インプラントのねじ領域の溝
１４２    歯科インプラントのねじ領域のねじ
１５    歯科インプラントの根尖先端
１６    歯科インプラントの内部ブラインド穴の安定化セクション
１７    歯科インプラントの内部ブラインド穴の駆動割出しセクション
１７１    歯科インプラントの駆動割出しセクションの接続ローブ
１７２    駆動割出しセクションのローブを相互接続するローブ連結領域
１７３    ローブ連結領域の根尖部分
１７３１    ローブ連結領域の根尖部分の側面
１７３２    根尖部分のレッジ
１７４    ローブ連結領域の凸部
１７５    ローブ連結領域の凹部
Ｃ    ローブ連結領域の凹部のインプラントへの延長部
１７６    アンダーカット
１７７    駆動割出しセクションの歯冠端部の円形プラットフォーム
１８    歯科インプラントの内部ブラインド穴の根尖雌ねじセクション
１８１    根尖雌ねじセクションの歯冠プラットフォーム
１８２    根尖雌ねじセクションの雌ねじ
１８３    根尖雌ねじセクションの根尖端部
２    ２次部品
２１    ２次部品の歯冠セクション
２１１    ２次部品の歯冠セクションの中央貫通穴
２１２    歯科クラウンまたは歯科ブリッジを回転方向に位置決めする手段
２１３，２１３’    ２次部品の歯冠セクションの支持レッジ
２２    ２次部品の安定化セクション
２２１，２２１’    ２次部品の安定化セクションの歯冠部分
２２２    ２次部品の安定化セクションの根尖部分
２２３    ２次部品の安定化セクションの歯冠部分と根尖部分の界面でのベベル面
２２４    ２次部品の安定化セクションの根尖端部でのＯリング
２２５，２２５’    ２次部品の安定化セクションでのＯリング
２３    ２次部品の割出しセクション
２７１    ２次部品の割出しセクションの接続ローブ
２７２    ２次部品の割出しセクションのローブ連結領域
２７４    ２次部品の割出しのローブ連結領域の凹部
２７５    ２次部品の割出しのローブ連結領域の凸部
２４    ２次部品の円錐台状内部セクション
３    接続スクリュー
３１    接続スクリューの拡大頭部
３２    レンチ係合手段
４    挿入ツール
４１    挿入ツールの歯冠セクション
４１１    挿入ツールの歯冠セクションのシャンク部
４１２    挿入ツールの歯冠セクションの手動ツール係合セクション
４１３    手動ツール係合セクションの凹部
４１４    回転機械への接続のためのシャンク部の係合エレメント
４２    挿入ツールの根尖セクション
４２１    挿入ツールの根尖セクションの第１安定化セクション
４２２    挿入ツールの根尖セクションの駆動セクション
４２２１    挿入ツールの駆動セクションの歯冠部分
４２２２    挿入ツールの駆動セクションの根尖部分
４２３    挿入ツールの根尖セクションの第２安定化セクション
４７１    挿入ツールの駆動セクションの接続ローブ
４７２    挿入ツールの駆動セクションのローブ連結領域
４８８    挿入ツールの根尖セクションの駆動セクションの円形凹所
４８９    挿入ツールの根尖セクションの駆動セクションのＯリングまたはＣリング
５    ねじ込み可能な２次部品
５１    ねじ込み可能な２次部品の雌ねじ
５２    ねじ込み可能な２次部品の内部ベベル面
５３    ねじ込み可能な２次部品の歯冠円筒セクション
５４    ねじ込み可能な２次部品のベベル円錐台形状セクション
５５    ねじ込み可能な２次部品の根尖円筒セクション
６    ヒーリングキャップ
６１    ヒーリングキャップのレンチ係合手段
６２    ヒーリングキャップの拡大頭部
６３    ヒーリングキャップの安定化セクション
６４    ヒーリングキャップの中間セクション
６５    ヒーリングキャップのねじセクション
６６    ヒーリングキャップの内部ベベル面
【図１】
2020518380.tif 000003
【図２】
2020518380.tif 000004
【図２Ａ】
2020518380.tif 000005
【図３】
2020518380.tif 000006
【図３Ａ】
2020518380.tif 000007
【図３Ｂ】
2020518380.tif 000008
【図４】
2020518380.tif 000009
【図５Ａ】
2020518380.tif 000010
【図５Ｂ】
2020518380.tif 000011
【図５Ｃ】
2020518380.tif 000012
【図５Ｄ】
2020518380.tif 000013
【図５Ｅ】
2020518380.tif 000014
【図６Ａ】
2020518380.tif 000015
【図６Ｂ】
2020518380.tif 000016
【図７Ａ】
2020518380.tif 000017
【図７Ｂ】
2020518380.tif 000018
【図７Ｃ】
2020518380.tif 000019
【図７Ｄ】
2020518380.tif 000020
【図７Ｅ】
2020518380.tif 000021
【図８Ａ】
2020518380.tif 000022
【図８Ｂ】
2020518380.tif 000023
【図８Ｃ】
2020518380.tif 000024
【図８Ｄ】
2020518380.tif 000025
【図９】
2020518380.tif 000026
【図１０Ａ】
2020518380.tif 000027
【図１０Ｂ】
2020518380.tif 000028
【図１０Ｃ】
2020518380.tif 000029
【図１１Ａ】
2020518380.tif 000030
【図１１Ｂ】
2020518380.tif 000031
【図１１Ｃ】
2020518380.tif 000032
【国際調査報告】
2020518380.tif 000033
2020518380.tif 000034
2020518380.tif 000035